(57)【特許請求の範囲】
【請求項１】
液圧流体を噴出防止装置の液圧作動式デバイスに提供するためのマニホールドであって、前記マニホールドは、
少なくとも２つの入口であって、各々は、流体源から液圧流体を受け取るように構成されている、少なくとも２つの入口と、
１つ以上の出口であって、前記マニホールドは、各出口が前記入口のうちの少なくとも２つと同時流体連通することを可能にするように構成されている、１つ以上の出口と、
１つ以上の海中弁アセンブリであって、各々は、前記入口のうちの少なくとも１つから、前記１つ以上の出口のうちの少なくとも１つへの液圧流体連通を選択的に制御するように構成されている、１つ以上の海中弁アセンブリと
を備え、
前記１つ以上の出口のうちの少なくとも１つは、前記液圧作動式デバイスの作動ポートと流体連通するように構成されている、マニホールド。
【請求項２】
前記入口のうちの少なくとも２つは、各々、それぞれの流体源から液圧流体を受け取るように構成されている、請求項１に記載のマニホールド。
【請求項３】
前記１つ以上の海中弁アセンブリのうちの少なくとも１つは、前記入口のうちの少なくとも１つを通した流体連通を選択的に遮断するように構成されている１つ以上の隔離弁を備えている、請求項１または２に記載のマニホールド。
【請求項４】
前記１つ以上の隔離弁のうちの少なくとも１つは、前記入口からの前記流体源の切り離し時、前記入口のうちの少なくとも１つを通した流体連通を自動的に遮断するように構成されている、請求項３に記載のマニホールド。
【請求項５】
前記１つ以上の海中弁アセンブリのうちの少なくとも１つは、前記１つ以上の出口のうちの少なくとも１つを通した流体連通を選択的に遮断するように構成されている１つ以上の隔離弁を備えている、請求項１−４のいずれかに記載のマニホールド。
【請求項６】
前記１つ以上の隔離弁のうちの少なくとも１つは、前記液圧作動式デバイスの作動ポートからの出口の切り離し時、前記１つ以上の出口のうちの少なくとも１つを通した流体連通を自動的に遮断するように構成されている、請求項５に記載のマニホールド。
【請求項７】
液圧流体を噴出防止装置の液圧作動式デバイスに提供するためのマニホールドであって、前記マニホールドは、第１の海中弁モジュールを備え、
前記第１の海中弁モジュールは、
１つ以上の入口であって、各々は、流体源から液圧流体を受け取るように構成されている、１つ以上の入口と、
少なくとも２つの出口であって、前記海中弁モジュールは、各出口が前記１つ以上の入口のうちの同じものと同時流体連通することを可能にするように構成されている、少なくとも２つの出口と、
１つ以上の海中弁アセンブリであって、各々は、前記１つ以上の入口のうちの少なくとも１つから前記出口のうちの少なくとも１つへの液圧流体連通を選択的に制御するように構成されている、１つ以上の海中弁アセンブリと
を備え、
前記出口のうちの第１のものは、前記液圧作動式デバイスの作動ポートと流体連通するように構成され、前記出口のうちの第２のものは、第２の海中弁モジュールの出口と流体連通するように構成されている、マニホールド。
【請求項８】
液圧流体を噴出防止装置の液圧作動式デバイスに提供するためのマニホールドであって、前記マニホールドは、第１および第２の海中弁モジュールを備え、
前記第１および第２の海中弁モジュールの各々は、
１つ以上の入口であって、各々は、流体源から液圧流体を受け取るように構成されている、１つ以上の入口と、
１つ以上の出口であって、各々は、前記１つ以上の入口のうちの少なくとも１つと選択的に流体連通する、１つ以上の出口と、
１つ以上の海中弁アセンブリであって、各々は、前記１つ以上の入口のうちの少なくとも１つから、前記１つ以上の出口のうちの少なくとも１つへの液圧流体連通を選択的に制御するように構成されている、１つ以上の海中弁アセンブリと
を備え、
前記第１の海中弁モジュールの前記１つ以上の出口のうちの少なくとも１つは、前記第２の海中弁モジュールの前記１つ以上の出口のうちの少なくとも１つ、および前記液圧作動式デバイスの作動ポートと同時流体連通するように構成されており、
前記海中弁モジュールの各々に対して、前記１つ以上の海中弁アセンブリのうちの少なくとも１つは、
前記流体源と第１の二方向弁との間で流体連通し、前記流体源と前記第１の二方向弁との間の流体連通を選択的に遮断する隔離弁を備える、マニホールド。
【請求項９】
液圧流体を噴出防止装置の液圧作動式デバイスに提供するためのマニホールドであって、前記マニホールドは、第１、第２、および第３の海中弁モジュールを備え、
前記第１、第２、および第３の海中弁モジュールの各々は、
１つ以上の入口であって、各々は、流体源から液圧流体を受け取るように構成されている、１つ以上の入口と、
１つ以上の出口であって、各々は、前記１つ以上の入口のうちの少なくとも１つと選択的に流体連通する、１つ以上の出口と、
１つ以上の海中弁アセンブリであって、各々は、前記１つ以上の入口のうちの少なくとも１つから、前記１つ以上の出口のうちの少なくとも１つへの液圧流体連通を選択的に制御するように構成されている、１つ以上の海中弁アセンブリと
を備え、
前記第１の海中弁モジュールの前記１つ以上の出口のうちの少なくとも１つは、前記第２の海中弁モジュールの前記１つ以上の出口のうちの少なくとも１つ、前記第３の海中弁モジュールの前記１つ以上の出口のうちの少なくとも１つ、および前記液圧作動式デバイスの作動ポートと同時流体連通するように構成されている、マニホールド。
【請求項１０】
前記海中弁モジュールのうちの少なくとも１つは、前記海中弁モジュールのうちの少なくとも１つの他のものに結合されるように構成されている、請求項７−９のいずれかに記載のマニホールド。
【請求項１１】
前記海中弁モジュールのうちの少なくとも２つは、前記海中弁モジュールのうちの前記少なくとも２つが一緒に結合されると、１つ以上の導管を画定し、前記１つ以上の導管は、各々、前記少なくとも２つの海中弁モジュールの各々の出口のうちの少なくとも１つと流体連通し、液圧流体を、前記液圧作動式デバイスのそれぞれの作動ポートに連通させるように構成されている、請求項１０に記載のマニホールド。
【請求項１２】
前記海中弁モジュールのうちの少なくとも２つは、それぞれの流体源から液圧流体を受け取るように構成されている、請求項７−１１のいずれかに記載のマニホールド。
【請求項１３】
前記海中弁モジュールの各々は、それぞれの流体源から液圧流体を受け取るように構成されている、請求項７−１２のいずれかに記載のマニホールド。
【請求項１４】
前記海中弁モジュールのうちの少なくとも１つは、前記１つ以上の入口のうちの少なくとも１つを通した流体連通を選択的に遮断するように構成されている１つ以上の隔離弁を備えている、請求項７−１３のいずれかに記載のマニホールド。
【請求項１５】
前記１つ以上の隔離弁のうちの少なくとも１つは、前記海中弁モジュールからの前記流体源の切り離し時、前記１つ以上の入口のうちの少なくとも１つを通した流体連通を自動的に遮断するように構成されている、請求項１４に記載のマニホールド。
【請求項１６】
前記海中弁モジュールのうちの少なくとも１つは、前記出口のうちの少なくとも１つを通した流体連通を選択的に遮断するように構成されている１つ以上の隔離弁を備えている、請求項７−１５のいずれかに記載のマニホールド。
【請求項１７】
前記１つ以上の隔離弁のうちの少なくとも１つは、前記海中弁モジュールからの前記海中弁モジュールのうちの別のものの切り離し時、前記出口のうちの少なくとも１つを通した流体連通を自動的に遮断するように構成されている、請求項１６に記載のマニホールド。
【請求項１８】
液圧流体圧力、温度、および流量のうちの少なくとも１つを示すデータを捕捉するように構成されている１つ以上のセンサを備えている、請求項１−１７のいずれかに記載のマニホールド。
【請求項１９】
前記マニホールドは、各出口が前記入口のうちの少なくとも２つと同時流体連通することを可能にするように構成されている、請求項１８に記載のマニホールド。
【請求項２０】
前記１つ以上の海中弁アセンブリのうちの少なくとも１つは、三方向弁を備え、
前記三方向弁は、
前記入口のうちの少なくとも１つから前記出口のうちの少なくとも１つへの流体連通を選択的に可能にすることと、
前記出口のうちの少なくとも１つからリザーバおよび海中環境のうちの少なくとも１つに液圧流体を選択的に迂回させることと
を行うように構成されている、請求項１−１９のいずれかに記載のマニホールド。
【請求項２１】
前記１つ以上の海中弁アセンブリのうちの少なくとも１つは、液圧作動式主段弁を備えている、請求項１−２０のいずれかに記載のマニホールド。
【請求項２２】
前記海中弁アセンブリのうちの少なくとも１つと電気通信する１つ以上の電気コネクタを備えている、請求項１−２１のいずれかに記載のマニホールド。
【請求項２３】
前記１つ以上の電気コネクタのうちの少なくとも１つは、補助ケーブルに結合されるように構成されている、請求項２２に記載のマニホールド。
【請求項２４】
前記１つ以上の電気コネクタのうちの少なくとも１つは、ロアーマリンライザーパッケージ（ＬＭＲＰ）と電気通信するように構成されている、請求項２２または２３に記載のマニホールド。
【請求項２５】
前記１つ以上の電気コネクタのうちの少なくとも１つは、誘導結合器を備えている、請求項２２−２４のいずれかに記載のマニホールド。
【請求項２６】
前記１つ以上の海中弁アセンブリのうちの少なくとも１つと電気通信する１つ以上のバッテリを備えている、請求項１−２５のいずれかに記載のマニホールド。
【請求項２７】
前記マニホールドは、遠隔動作式水中車両（ＲＯＶ）による操作によって噴出防止装置から取り外し可能であるように構成されている、請求項１−２６のいずれかに記載のマニホールド。
【請求項２８】
少なくとも１つの流体源が、海中ポンプを備えている、請求項１−２７のいずれかに記載のマニホールド。
【請求項２９】
少なくとも１つの流体源が、剛体の導管を備えている、請求項１−２８のいずれかに記載のマニホールド。
【請求項３０】
前記マニホールドは、シャトル弁を備えていない、請求項１−２９のいずれかに記載のマニホールド。
【請求項３１】
前記出口のうちの少なくとも１つは、前記液圧作動式デバイスの作動ポートと直接流体連通する、請求項１−３０のいずれかに記載のマニホールド。
【請求項３２】
前記マニホールドは、前記噴出防止装置に結合されている、請求項１−３１のいずれかに記載のマニホールド。
【請求項３３】
請求項１−３２のいずれかに記載のマニホールドを複数備えている、マニホールドアセンブリ。
【請求項３４】
前記マニホールドのうちの少なくとも２つは、１つ以上のドライメート型電気コネクタを介して互に電気通信する、請求項３３に記載のマニホールドアセンブリ。
【請求項３５】
液圧流体を噴出防止装置の液圧作動式デバイスに提供する方法であって、前記方法は、
流体連通するように、少なくとも第１の流体源および第２の流体源を、前記液圧作動式デバイスの作動ポートと結合することと、
前記第１の流体源と第１の二方向弁との間で流体連通する隔離弁を作動させ、前記第１の流体源と前記第１の二方向弁との間の流体連通を選択的に遮断することと
を含む、方法。
【請求項３６】
前記第１の流体源を、マニホールドの第１の入口に結合することであって、前記マニホールドは、前記第１の入口および前記液圧作動式デバイスと流体連通する出口を有する、ことと、
前記第２の流体源を、前記マニホールドの第２の入口に結合することであって、前記第２の入口は、前記出口と流体連通する、ことと
を含む、請求項３５に記載の方法。
【請求項３７】
第３の流体源を前記マニホールドの第３の入口に結合することを含み、前記第３の入口は、前記出口と流体連通する、請求項３６に記載の方法。
【請求項３８】
流体連通するように、第３の流体源を前記液圧作動式デバイスの作動ポートと結合することを含む、請求項３５−３７のいずれかに記載の方法。
【請求項３９】
前記第１の流体源、前記第２の流体源、および前記第３の流体源から、液圧流体を前記液圧作動式デバイスに同時に提供することを含む、請求項３７または３８に記載の方法。
【請求項４０】
少なくとも前記第１の流体源および前記第２の流体源から、液圧流体を前記液圧作動式デバイスに同時に提供することを含む、請求項３５−３９のいずれかに記載の方法。
【請求項４１】
少なくとも１つの流体源の圧力を、少なくとも１つの他の流体源の圧力よりも高い圧力に調節することを含む、請求項３５−４０のいずれかに記載の方法。
【請求項４２】
少なくとも１つの他の流体源から液圧流体を前記液圧作動式デバイスに提供する前に、少なくとも１つの流体源から液圧流体を前記液圧作動式デバイスに提供することを含む、請求項３５−４１のいずれかに記載の方法。
【請求項４３】
噴出防止装置の液圧作動式デバイスからマニホールドを除去する方法であって、前記マニホールドは、前記液圧作動式デバイスに結合され、それと流体連通し、
前記方法は、
前記液圧作動式デバイスから前記マニホールドを切り離すことと、
前記マニホールドの１つ以上の隔離弁を作動させ、前記マニホールドの少なくとも一部中への海水の流体連通を遮断することと
を含む、方法。
【請求項４４】
前記１つ以上の隔離弁のうちの少なくとも１つは、前記液圧作動式デバイスからの前記マニホールドの切り離し時、自動的に作動する、請求項４３に記載の方法。
【請求項４５】
マニホールドから海中弁モジュールを除去する方法であって、前記マニホールドは、噴出防止装置の液圧作動式デバイスに結合され、それと流体連通し、前記海中弁モジュールは、前記マニホールドに結合され、それと流体連通し、前記方法は、
前記マニホールドから前記海中弁モジュールを切り離すことと、
前記マニホールドの１つ以上の隔離弁を作動させ、前記マニホールドの少なくとも一部中への海水の流体連通を遮断することと
を含む、方法。
【請求項４６】
前記海中弁モジュールの１つ以上の隔離弁を作動させ、前記海中弁モジュールの少なくとも一部中への海水の流体連通を遮断することを含む、請求項４５に記載の方法。
【請求項４７】
前記１つ以上の隔離弁のうちの少なくとも１つは、前記マニホールドからの前記海中弁モジュールの切り離し時、自動的に作動する、請求項４５または４６に記載の方法。
【請求項４８】
前記１つ以上の隔離弁のうちの少なくとも１つを作動させることは、前記少なくとも１つの隔離弁に電気信号を伝えることを含む、請求項４３−４７のいずれかに記載の方法。
【請求項４９】
液圧流体を噴出防止装置の液圧作動式デバイスに提供する方法であって、前記方法は、
第１の海中弁モジュールの第１の出口を前記液圧作動式デバイスの作動ポートに結合することと、
第２の海中弁モジュールの第１の出口を前記第１の海中弁モジュールの第２の出口に結合することと
を含み、
各海中弁モジュールは、流体源から液圧流体を受け取るように構成されている入口を有し、前記入口と前記出口の各々との間の同時流体連通を可能にするように構成されている、方法。
【請求項５０】
第３の海中弁モジュールの第１の出口を前記第２の海中弁モジュールの第２の出口に結合することを含む、請求項４９に記載の方法。
【請求項５１】
各海中弁モジュールに対して、それぞれの流体源を前記入口に結合することを含む、請求項４９または５０に記載の方法。
【請求項５２】
噴出防止装置の液圧作動式デバイスと流体源との間の液圧流体フローを制御する方法であって、前記方法は、
前記液圧作動式デバイスおよび前記流体源と流体連通し、それらの間に結合されているマニホールドの第１の二方向弁を作動させることにより、前記流体源と前記液圧作動式デバイスとの間の流体連通を選択的に可能にすることと、
前記マニホールドの第２の二方向弁を作動させることにより、前記流体源および前記液圧作動式デバイスのうちの少なくとも１つからリザーバおよび海中環境のうちの少なくとも１つに液圧流体を選択的に迂回させることと、
前記流体源と前記第１の二方向弁との間で流体連通する隔離弁を作動させ、前記流体源と前記第１の二方向弁との間の流体連通を選択的に遮断することと
を含む、方法。
【請求項５３】
前記第１および第２の二方向弁の両方が閉鎖されるように、前記第１および第２の二方向弁を作動させることと、
前記第１および第２の二方向弁の両方が閉鎖された後、前記第１または第２の二方向弁のうちの１つが開放されるように、前記第１または第２の二方向弁のうちの前記１つを作動させることと
を含む、請求項５２に記載の方法。
【請求項５４】
前記第２の二方向弁が開放されるように、前記第２の二方向弁を作動させることと、
前記第２の二方向弁が開放された後、前記流体源からの液圧流体がリザーバおよび海中環境のうちの少なくとも１つに迂回されるように、前記第１の二方向弁が開放されるように前記第１の二方向弁を作動させることと、
前記第１および第２の二方向弁の両方が開放された後、前記流体源からの液圧流体が前記液圧作動式デバイスに向かわせられるように、前記第２の二方向弁が閉鎖されるように前記第２の二方向弁を作動させることと
を含む、請求項５２または５３に記載の方法。
【請求項５５】
前記リザーバおよび前記海中環境のうちの前記少なくとも１つと、前記第２の二方向弁との間で流体連通する隔離弁を作動させ、前記第２の二方向弁と、前記リザーバおよび前記海中環境のうちの前記少なくとも１つとの間の流体連通を選択的に遮断することを含む、請求項５２−５４のいずれかに記載の方法。
【請求項５６】
噴出防止装置の液圧作動式デバイスと少なくとも２つの流体源との間の液圧流体フローを制御する方法であって、前記方法は、
マニホールドの第１の弁アセンブリを作動させ、第１の流体源から前記マニホールドの出口への液圧流体の連通を可能にすることであって、前記出口は、前記液圧作動式デバイスの作動ポートと流体連通する、ことと、
プロセッサを用いて、前記出口における液圧流体圧力を監視することと、
前記出口における液圧流体圧力が閾値を下回る場合、前記マニホールドの第２の弁アセンブリを作動させ、第２の流体源から前記出口への液圧流体の連通を可能にすることと
を含む、方法。
【請求項５７】
前記出口における液圧流体圧力が閾値を下回る場合、前記マニホールドの隔離弁を作動させ、前記第１の流体源から前記マニホールドの前記出口への液圧流体の連通を遮断することを含む、請求項５６に記載の方法。
【請求項５８】
噴出防止装置の液圧作動式デバイスと流体源との間の液圧流体フローを制御する方法であって、前記方法は、
プロセッサを用いて、マニホールドの入口を通した流量を示す第１のデータセットを監視することであって、前記第１のデータセットは、第１のセンサによって捕捉され、前記マニホールドは、前記流体源および前記液圧作動式デバイスと、それらの間で流体連通する、ことと、
前記プロセッサを用いて、前記マニホールドの出口を通した流量を示す第２のデータセットを監視することであって、前記第２のデータセットは、第２のセンサによって捕捉される、ことと、
前記プロセッサを用いて、前記第１のデータセットおよび前記第２のデータセットを比較し、前記マニホールド内の液圧流体損失量を決定することと、
前記液圧流体損失量が閾値を超える場合、前記マニホールドの隔離弁を作動させ、前記マニホールドの少なくとも一部を通した流体連通を遮断することと
を含む、方法。
【発明の詳細な説明】
【技術分野】
【０００１】
（関連出願の引用）
本願は、以下の出願に対する優先権を主張する：（１）米国仮出願第６１／８８７，８２５号（２０１３年１０月７日出願、名称「ＢＩ−ＳＴＡＢＬＥ  ＣＯＮＴＲＯＬ  ＶＡＬＶＥＳ  ＦＯＲ  ＳＵＢＳＥＡ  ＡＰＰＬＩＣＡＴＩＯＮＳ」）、（２）米国仮出願第６１／８８７，７２８号（２０１３年１０月７日出願、名称「ＩＮＴＥＧＲＡＴＥＤ  ＰＩＬＯＴ  ＡＮＤ  ＭＡＩＮ  ＳＴＡＧＥ  ＶＡＬＶＥＳ  ＦＯＲ  ＵＳＥ  ＩＮ  ＳＵＢＳＥＡ  ＡＰＰＬＩＣＡＴＩＯＮＳ」）、および、（３）米国仮出願第６１／８８７，６９８号（２０１３年１０月７日出願、名称「ＩＮＴＥＧＲＡＴＥＤ  ＡＣＴＵＡＴＩＯＮ  ＡＮＤ  ＩＮＳＴＲＵＭＥＮＴＡＴＩＯＮ  ＯＦ  ＶＡＬＶＥＳ  ＩＮ  ＳＵＢＳＥＡ  ＡＰＰＬＩＣＡＴＩＯＮＳ」）。上記仮特許出願の各々は、その全体が参照により本明細書に引用される。
【０００２】
（発明の分野）
本発明は、概して、海中噴出防止装置に関し、より具体的には、限定ではないが、例えば、液圧流体を海中噴出防止装置の液圧作動式デバイスに提供するように構成されるマニホールドに関する。
【背景技術】
【０００３】
噴出防止装置は、通常、油井およびガス井を密封、制御、および／または監視するために使用される、スタックとして冗長に設置された機械的デバイスである。典型的には、噴出防止装置は、例えば、ラム、環状空間、アキュムレータ、試験弁、フェイルセーフ弁、抑圧および／または閉塞のラインおよび／または弁、ライザージョイント、液圧コネクタ、および／または同等物等のいくつかのデバイスを含み、その多くは、液圧作動式であり得る。
【０００４】
液圧流体をそのような噴出防止装置デバイスに提供するための現在のシステムは、１つ以上の噴出防止装置デバイスを構成要素の故障の際に部分的または完全に動作不能にし得る単一故障点の構成要素を含み得る。
【０００５】
そのような現在のシステムはまた、比較的複雑な、非常に時間のかかる、誤動作する構成要素の高コストの修復および／または交換を要求し、ある場合には、その多くは、そうでなければ機能し得る、構成要素の大型アセンブリの交換を必要とし得る。そして、いくつかの事例では、そのような修復および／または交換は、油井オペレーションの停止を要求し得る。
【０００６】
液圧流体をそのような噴出防止装置デバイスに提供するための現在のシステムはまた、冗長圧力源から液圧流体を提供するように構成されていない場合がある。
【０００７】
マニホールドの実施例は、米国特許（１）第７，２１６，７１４号（特許文献１）、（２）第６，０３２，７４２号（特許文献２）、（３）第８，４６４，７９７号（特許文献３）、および（４）第８，３９３，３９９号（特許文献４）に開示されている。
【先行技術文献】
【特許文献】
【０００８】
【特許文献１】米国特許第７，２１６，７１４号明細書
【特許文献２】米国特許第６，０３２，７４２号明細書
【特許文献３】米国特許第８，４６４，７９７号明細書
【特許文献４】米国特許第８，３９３，３９９号明細書
【発明の概要】
【課題を解決するための手段】
【０００９】
本マニホールドのいくつかの実施形態は、少なくとも２つの独立した流体源から、（各々、それぞれの流体源から液圧流体を受け取るように構成される、少なくとも２つの入口を介して、かつ少なくとも２つの入口と選択的かつ同時に流体連通する、少なくとも１つの出口を介して）液圧流体を噴出防止装置の液圧作動式デバイスに同時に提供するように構成される。
【００１０】
本マニホールドのいくつかの実施形態は、（少なくとも１つの入口と、少なくとも１つの出口と、少なくとも１つの入口から、少なくとも１つの出口への流体連通を選択的に可能にするように構成される、第１の二方向弁と、少なくとも１つの出口から、リザーバおよび海中環境のうちの少なくとも１つに液圧流体を選択的に迂回させるように構成される、第２の二方向弁とを介して）（１）耐故障性液圧構造を（例えば、比較的複雑でない、および／またはフェイルセーフ弁、ならびに／もしくは同等物を利用し、単一故障点の構成要素を排除することによって）提供し、（２）例えば、弁および／または他の構成要素が故障する場合に、（例えば、液圧作動式デバイスの望ましくない動作および／または非動作ならびに／もしくは過剰な液圧流体損失を防止するために）液圧作動式デバイスからのマニホールドの、および／または（例えば、いくつかの事例では、液圧作動式デバイスの動作をその他の点では中断することなく、マニホールド、マニホールドの一部、および／またはその構成要素を修復ならびに／もしくは交換するために）マニホールドからのマニホールドの一部の、および／または同等物の除去を促進するために、流体源−マニホールド−液圧作動式デバイスの液圧システムからの、マニホールドの少なくとも一部の液圧隔離を提供し、（３）および／または同等物を提供するように構成される。本マニホールドのいくつかの実施形態は、１つ以上の隔離弁に送信されるコマンドに応じて、例えば、液圧作動式デバイスからのマニホールドの、マニホールドからのマニホールドの一部の、マニホールドからの流体源の、および／または同等物の除去に応じて、例えば、マニホールドの少なくとも一部を通した流体連通を自動的に遮断するように構成され得る、１つ以上の隔離弁を通してそのような望ましい機能性を達成するように構成される。
【００１１】
本マニホールドのいくつかの実施形態は、（１つ以上の入口と、少なくとも２つの出口とを有する、海中弁モジュールであって、各出口が入口のうちの同じものと同時流体連通することを可能にするように構成される、海中弁モジュールを通して）（例えば、海中弁モジュールの少なくとも２つの出口のうちの１つ以上のものへの結合を介して）（例えば、マニホールド、マニホールドの一部、および／またはマニホールドの構成要素、マニホールドのアセンブリ、および／または同等物の修復および／または交換を促進するために）海中弁モジュールへの追加の海中弁モジュールおよび／または他の構成要素の結合ならびに／もしくは切り離しを促進するように構成される。
【００１２】
本マニホールドのいくつかの実施形態は、マニホールドおよび／または噴出防止装置の液圧作動式デバイスの液圧動作を示すデータを捕捉するように構成される、１つ以上のセンサと、センサによって捕捉されたデータに少なくとも部分的に基づいて、マニホールド（例えば、弁）の構成要素の作動を制御するように構成される、プロセッサとを通して、自律的、スタンドアローン、および／または閉ループのマニホールドならびに／もしくは液圧作動式デバイスの動作を提供するように構成される。
【００１３】
液圧流体を噴出防止装置の液圧作動式デバイスに提供するための本マニホールドのいくつかの実施形態は、各々、流体源から液圧流体を受け取るように構成される、少なくとも２つの入口と、マニホールドが、各出口が入口のうちの少なくとも２つと同時流体連通することを可能にするように構成される、１つ以上の出口と、各々、入口のうちの少なくとも１つから、１つ以上の出口のうちの少なくとも１つへの液圧流体連通を選択的に制御するように構成される、１つ以上の海中弁アセンブリとを備え、１つ以上の出口のうちの少なくとも１つは、液圧作動式デバイスの作動ポートと流体連通するように構成される。いくつかの実施形態では、入口のうちの少なくとも２つは、各々、それぞれの流体源から液圧流体を受け取るように構成される。
【００１４】
いくつかの実施形態では、１つ以上の海中弁アセンブリのうちの少なくとも１つは、入口のうちの少なくとも１つを通した流体連通を選択的に遮断するように構成される、１つ以上の隔離弁を備えている。いくつかの実施形態では、１つ以上の隔離弁のうちの少なくとも１つは、入口からの流体源の切り離し時、入口のうちの少なくとも１つを通した流体連通を自動的に遮断するように構成される。
【００１５】
いくつかの実施形態では、１つ以上の海中弁アセンブリのうちの少なくとも１つは、１つ以上の出口のうちの少なくとも１つを通した流体連通を選択的に遮断するように構成される、１つ以上の隔離弁を備えている。いくつかの実施形態では、１つ以上の隔離弁のうちの少なくとも１つは、液圧作動式デバイスの作動ポートからの出口の切り離し時、１つ以上の出口のうちの少なくとも１つを通した流体連通を自動的に遮断するように構成される。
【００１６】
液圧流体を噴出防止装置の液圧作動式デバイスに提供するための本マニホールドのいくつかの実施形態は、各々、流体源から液圧流体を受け取るように構成される、１つ以上の入口と、海中弁モジュールが、各出口が１つ以上の入口のうちの同じものと同時流体連通することを可能にするように構成される、少なくとも２つの出口と、各々、１つ以上の入口のうちの少なくとも１つから、出口のうちの少なくとも１つへの液圧流体連通を選択的に制御するように構成される、１つ以上の海中弁アセンブリとを備えている、第１の海中弁モジュールを備え、出口のうちの第１のものは、液圧作動式デバイスの作動ポートと流体連通するように構成され、出口のうちの第２のものは、第２の海中弁モジュールの出口と流体連通するように構成される。
【００１７】
液圧流体を噴出防止装置の液圧作動式デバイスに提供するための本マニホールドのいくつかの実施形態は、各々、流体源から液圧流体を受け取るように構成される、１つ以上の入口と、各々、１つ以上の入口のうちの少なくとも１つと選択的に流体連通する、１つ以上の出口と、各々、１つ以上の入口のうちの少なくとも１つから、１つ以上の出口のうちの少なくとも１つへの液圧流体連通を選択的に制御するように構成される、１つ以上の海中弁アセンブリとを備えている、第１のおよび第２の海中弁モジュールを備え、第１の海中弁モジュールの１つ以上の出口のうちの少なくとも１つは、第２の海中弁モジュールの１つ以上の出口のうちの少なくとも１つ、および液圧作動式デバイスの作動ポートと同時流体連通するように構成される。
【００１８】
液圧流体を噴出防止装置の液圧作動式デバイスに提供するための本マニホールドのいくつかの実施形態は、各々、流体源から液圧流体を受け取るように構成される、１つ以上の入口と、各々、１つ以上の入口のうちの少なくとも１つと選択的に流体連通する、１つ以上の出口と、各々、１つ以上の入口のうちの少なくとも１つから、１つ以上の出口のうちの少なくとも１つへの液圧流体連通を選択的に制御するように構成される、１つ以上の海中弁アセンブリとを備えている、第１、第２、および第３の海中弁モジュールを備え、第１の海中弁モジュールの１つ以上の出口のうちの少なくとも１つは、第２の海中弁モジュールの１つ以上の出口のうちの少なくとも１つと、第３の海中弁モジュールの１つ以上の出口のうちの少なくとも１つ、および液圧作動式デバイスの作動ポートと同時流体連通するように構成される。
【００１９】
いくつかの実施形態では、海中弁モジュールのうちの少なくとも１つは、海中弁モジュールのうちの少なくとも１つの他のものに結合されるように構成される。いくつかの実施形態では、海中弁モジュールのうちの少なくとも２つは、海中弁モジュールのうちの少なくとも２つが一緒に結合されると、１つ以上の導管を画定し、１つ以上の導管は、各々、少なくとも２つの海中弁モジュールの各々の出口のうちの少なくとも１つと流体連通し、液圧流体を、液圧作動式デバイスのそれぞれの作動ポートに連通させるように構成される。「出口」とは、これが「１つ以上の出口」を指すときの「出口」を意味し得、かつ「２つ以上の出口」を指すときの「出口」も意味し得る。
【００２０】
いくつかの実施形態では、海中弁モジュールのうちの少なくとも２つは、それぞれの流体源から液圧流体を受け取るように構成される。いくつかの実施形態では、海中弁モジュールの各々は、それぞれの流体源から液圧流体を受け取るように構成される。
【００２１】
いくつかの実施形態では、海中弁モジュールのうちの少なくとも１つは、１つ以上の入口のうちの少なくとも１つを通した流体連通を選択的に遮断するように構成される、１つ以上の隔離弁を備えている。いくつかの実施形態では、１つ以上の隔離弁のうちの少なくとも１つは、海中弁モジュールからの流体源の切り離し時、１つ以上の入口のうちの少なくとも１つを通した流体連通を自動的に遮断するように構成される。いくつかの実施形態では、海中弁モジュールのうちの少なくとも１つは、出口のうちの少なくとも１つを通した流体連通を選択的に遮断するように構成される、１つ以上の隔離弁を備えている。いくつかの実施形態では、１つ以上の隔離弁のうちの少なくとも１つは、海中弁モジュールからの海中弁モジュールのうちの別のものの切り離し時、出口のうちの少なくとも１つを通した流体連通を自動的に遮断するように構成される。
【００２２】
液圧流体を噴出防止装置の液圧作動式デバイスに提供するための本マニホールドのいくつかの実施形態は、各々、流体源から液圧流体を受け取るように構成される、１つ以上の入口と、各々、１つ以上の入口のうちの少なくとも１つと選択的に流体連通する、１つ以上の出口と、各々、１つ以上の入口のうちの少なくとも１つから、１つ以上の出口のうちの少なくとも１つへの液圧流体連通を選択的に制御するように構成される、１つ以上の海中弁アセンブリとを備え、１つ以上の出口のうちの少なくとも１つは、液圧作動式デバイスの作動ポートと流体連通するように構成される。いくつかの実施形態では、マニホールドは、各出口が入口のうちの少なくとも２つと同時流体連通することを可能にするように構成される。
【００２３】
いくつかの実施形態では、１つ以上の海中弁アセンブリのうちの少なくとも１つは、１つ以上の入口のうちの少なくとも１つから、出口のうちの少なくとも１つへの流体連通を選択的に可能にするように構成される、第１の二方向弁と、出口のうちの少なくとも１つからリザーバおよび海中環境のうちの少なくとも１つに液圧流体を選択的に迂回させるように構成される、第２の二方向弁とを備えている。
【００２４】
いくつかの実施形態では、１つ以上の海中弁アセンブリのうちの少なくとも１つは、各々、１つ以上の入口のうちの少なくとも１つと、１つ以上の出口のうちの少なくとも１つとのうちの少なくとも１つを通した流体連通を選択的に遮断するように構成される、１つ以上の隔離弁を備えている。いくつかの実施形態では、１つ以上の隔離弁のうちの少なくとも１つは、液圧作動式デバイスの作動ポートからの１つ以上の出口のうちの少なくとも１つの切り離しと、流体源からの１つ以上の入口のうちの少なくとも１つの切り離しとのうちの少なくとも１つの切り離し時、１つ以上の入口のうちの少なくとも１つと、１つ以上の出口のうちの少なくとも１つとのうちの少なくとも１つを通した流体連通を自動的に遮断するように構成される。
【００２５】
いくつかの実施形態は、液圧流体圧力、温度、および流量のうちの少なくとも１つを示すデータを捕捉するように構成される、１つ以上のセンサを備えている。いくつかの実施形態は、海中弁アセンブリのうちの少なくとも１つの作動を制御するように構成される、プロセッサを備えている。いくつかの実施形態では、プロセッサは、１つ以上のセンサによって捕捉されたデータに少なくとも部分的に基づいて、１つ以上の海中弁アセンブリのうちの少なくとも１つの作動を制御するように構成される。
【００２６】
いくつかの実施形態では、１つ以上の海中弁アセンブリのうちの少なくとも１つは、入口のうちの少なくとも１つから、出口のうちの少なくとも１つへの流体連通を選択的に可能にし、出口のうちの少なくとも１つからリザーバおよび海中環境のうちの少なくとも１つに液圧流体を選択的に迂回させるように構成される、三方向弁を備えている。「入口」とは、これが「１つ以上の入口」を指すときの「入口」を意味し得、かつ「２つ以上の入口」を指すときの「入口」も意味し得る。
【００２７】
いくつかの実施形態では、１つ以上の海中弁アセンブリのうちの少なくとも１つは、液圧作動式主段弁を備えている。いくつかの実施形態では、１つ以上の海中弁アセンブリのうちの少なくとも１つは、主段弁を作動させるように構成される、パイロット段弁を備えている。いくつかの実施形態では、パイロット段弁は、主段弁と統合される。いくつかの実施形態は、パイロット段弁を含むように構成される、圧力補償型筐体を備えている。いくつかの実施形態では、１つ以上の海中弁アセンブリのうちの少なくとも１つは、双安定弁を備えている。
【００２８】
いくつかの実施形態では、１つ以上の海中弁アセンブリのうちの少なくとも１つは、常時開弁を備えている。いくつかの実施形態では、１つ以上の海中弁アセンブリのうちの少なくとも１つは、常時閉弁を備えている。いくつかの実施形態では、１つ以上の海中弁アセンブリのうちの少なくとも１つは、調整器を備えている。いくつかの実施形態では、１つ以上の海中弁アセンブリのうちの少なくとも１つは、アキュムレータを備えている。
【００２９】
いくつかの実施形態では、少なくとも１つの流体源は、海中ポンプを備えている。いくつかの実施形態では、少なくとも１つの流体源は、剛体の導管を備えている。いくつかの実施形態では、マニホールドは、シャトル弁を備えていない。いくつかの実施形態では、出口のうちの少なくとも１つは、液圧作動式デバイスの作動ポートと直接流体連通する。いくつかの実施形態では、マニホールドは、噴出防止装置に結合される。
【００３０】
いくつかの実施形態は、制御信号を、海中弁アセンブリのうちの少なくとも１つに伝えるように構成される、制御回路を備えている。いくつかの実施形態では、制御回路は、制御信号を受信するように構成される、無線受信機を備えている。いくつかの実施形態では、制御回路は、有線接続を介して制御信号を受信するように構成される。いくつかの実施形態では、制御回路の少なくとも一部は、圧力補償型筐体内に配置される。いくつかの実施形態では、制御回路の少なくとも一部は、複合型筐体内に配置される。
【００３１】
いくつかの実施形態は、１つ以上の海中弁アセンブリのうちの少なくとも１つと電気通信する１つ以上の電気コネクタを備えている。いくつかの実施形態では、１つ以上の電気コネクタのうちの少なくとも１つは、補助ケーブルに結合されるように構成される。いくつかの実施形態では、１つ以上の電気コネクタのうちの少なくとも１つは、ロアーマリンライザーパッケージ（ＬＭＲＰ）と電気通信するように構成される。いくつかの実施形態では、１つ以上の電気コネクタのうちの少なくとも１つは、誘導結合器を備えている。
【００３２】
いくつかの実施形態は、１つ以上の海中弁アセンブリのうちの少なくとも１つと電気通信する１つ以上のバッテリを備えている。いくつかの実施形態では、マニホールドは、遠隔動作式水中車両（ＲＯＶ）による操作によって、噴出防止装置から取り外し可能であるように構成される。
【００３３】
本マニホールドアセンブリのいくつかの実施形態は、本マニホールドを複数備えている。いくつかの実施形態では、マニホールドのうちの少なくとも２つは、１つ以上のドライメート型電気コネクタを介して互に電気通信する。
【００３４】
液圧流体を噴出防止装置の液圧作動式デバイスに提供する本方法のいくつかの実施形態は、少なくとも第１の流体源および第２の流体源を、液圧作動式デバイスの作動ポートとの流体連通中に結合することを含む。いくつかの実施形態は、第１の流体源を、第１の入口および液圧作動式デバイスと流体連通する出口を有する、マニホールドの第１の入口に結合することと、第２の流体源を、マニホールドの第２の入口に結合することであって、第２の入口は、出口と流体連通する、こととを含む。いくつかの実施形態は、第３の流体源を、液圧作動式デバイスの作動ポートとの流体連通中に結合することを含む。いくつかの実施形態は、第３の流体源を、マニホールドの第３の入口に結合することを含み、第３の入口は、出口と流体連通する。
【００３５】
いくつかの実施形態は、少なくとも第１の流体源および第２の流体源から、液圧流体を液圧作動式デバイスに同時に提供することを含む。いくつかの実施形態は、第１の流体源、第２の流体源、および第３の流体源から、液圧流体を液圧作動式デバイスに同時に提供することを含む。いくつかの実施形態は、少なくとも１つの流体源の圧力を、少なくとも１つの他の流体源の圧力よりも高い圧力に調節することを含む。いくつかの実施形態は、少なくとも１つの他の流体源から、液圧流体を液圧作動式デバイスに提供する前に、少なくとも１つの流体源から、液圧流体を液圧作動式デバイスに提供することを含む。
【００３６】
噴出防止装置の液圧作動式デバイスからマニホールドを除去する本方法のいくつかの実施形態では、マニホールドは、液圧作動式デバイスに結合され、それと流体連通し、液圧作動式デバイスからマニホールドを切り離すことと、マニホールドの１つ以上の隔離弁を作動させ、マニホールドの少なくとも一部中への海水の流体連通を遮断することとを含む。いくつかの実施形態では、隔離弁のうちの少なくとも１つは、液圧作動式デバイスからのマニホールドの切り離し時、自動的に作動する。
【００３７】
マニホールドから海中弁モジュールを除去する本方法のいくつかの実施形態では、マニホールドは、噴出防止装置の液圧作動式デバイスに結合され、それと流体連通し、海中弁モジュールは、マニホールドに結合され、それと流体連通し、マニホールドから海中弁モジュールを切り離すことと、マニホールドの１つ以上の隔離弁を作動させ、マニホールドの少なくとも一部中への海水の流体連通を遮断することとを含む。いくつかの実施形態は、海中弁モジュールの１つ以上の隔離弁を作動させ、海中弁モジュールの少なくとも一部中への海水の流体連通を遮断することを含む。いくつかの実施形態では、１つ以上の隔離弁のうちの少なくとも１つは、マニホールドからの海中弁モジュールの切り離し時、自動的に作動する。
【００３８】
いくつかの実施形態では、１つ以上の隔離弁のうちの少なくとも１つを作動させることは、少なくとも１つの隔離弁に電気信号を伝えることを含む。
【００３９】
液圧流体を噴出防止装置の液圧作動式デバイスに提供する本方法のいくつかの実施形態は、第１の海中弁モジュールの第１の出口を、液圧作動式デバイスの作動ポートに結合することと、第２の海中弁モジュールの第１の出口を、第１の海中弁モジュールの第２の出口に結合することであって、各海中弁モジュールは、流体源から液圧流体を受け取るように構成されている入口を有し、入口と出口の各々との間の同時流体連通を可能にするように構成されることとを含む。いくつかの実施形態は、第３の海中弁モジュールの第１の出口を、第２の海中弁モジュールの第２の出口に結合することを含む。いくつかの実施形態は、弁モジュール毎に、それぞれの流体源を、入口に結合することを含む。
【００４０】
噴出防止装置の液圧作動式デバイスと流体源との間の液圧流体フローを制御する本方法のいくつかの実施形態は、流体源と、液圧作動式デバイスとの間の流体連通を選択的に可能にするために、液圧作動式デバイスと、流体源との間に結合され、それらと流体連通する、マニホールドの第１の二方向弁を作動させることと、流体源および液圧作動式デバイスのうちの少なくとも１つからリザーバおよび海中環境のうちの少なくとも１つに液圧流体を選択的に迂回させるために、マニホールドの第２の二方向弁を作動させることとを含む。
【００４１】
いくつかの実施形態は、第１および第２の二方向弁の両方が閉鎖されるように、第１および第２の二方向弁を作動させることと、第１および第２の二方向弁が閉鎖された後、第１または第２の二方向弁のうちの１つが開放されるように、第１または第２の二方向弁のうちの１つを作動させることとを含む。いくつかの実施形態は、第２の二方向弁が開放されるように、第２の二方向弁を作動させることと、第２の二方向弁が開放された後、流体源からの液圧流体がリザーバおよび海中環境のうちの少なくとも１つに迂回されるように、第１の二方向弁が開放されるように、第１の二方向弁を作動させることと、第１および第２の二方向弁の両方が開放された後、流体源からの液圧流体が液圧作動式デバイスに向かわせられるように、第２の二方向弁が閉鎖されるように、第２の二方向弁を作動させることとを含む。
【００４２】
いくつかの実施形態は、流体源と、第１の二方向弁との間の流体連通を選択的に遮断するために、流体源と、第１の二方向弁との間で流体連通する隔離弁を作動させることを含む。いくつかの実施形態は、第２の二方向弁と、リザーバおよび海中環境のうちの少なくとも１つとの間の流体連通を選択的に遮断するために、リザーバおよび海中環境のうちの少なくとも１つと、第２の二方向弁との間で流体連通する隔離弁を作動させることを含む。
【００４３】
噴出防止装置の液圧作動式デバイスと、少なくとも２つの流体源との間の液圧流体フローを制御する本方法のいくつかの実施形態は、第１の流体源からマニホールドの出口への液圧流体の連通を可能にするために、マニホールドの第１の弁アセンブリを作動させることであって、出口は、液圧作動式デバイスの作動ポートと流体連通する、ことと、プロセッサを用いて、出口における液圧流体圧力を監視することと、出口における液圧流体圧力が閾値を下回る場合、第２の流体源から出口への液圧流体の連通を可能にするために、マニホールドの第２の弁アセンブリを作動させることとを含む。いくつかの実施形態は、出口における液圧流体圧力が閾値を下回る場合、第１の流体源からマニホールドの出口への液圧流体の連通を遮断するために、マニホールドの隔離弁を作動させることを含む。
【００４４】
噴出防止装置の液圧作動式デバイスと流体源との間の液圧流体フローを制御する本方法のいくつかの実施形態は、プロセッサを用いて、マニホールドの入口を通した流量を示す第１のデータセットを監視することであって、第１のデータセットは、第１のセンサによって捕捉され、マニホールドは、流体源と、液圧作動式デバイスとの間で、それらと流体連通する、ことと、プロセッサを用いて、マニホールドの出口を通した流量を示す第２のデータセットを監視することであって、第２のデータセットは、第２のセンサによって捕捉される、ことと、マニホールド内の液圧流体損失量を決定するために、プロセッサを用いて、第１のデータセットおよび第２のデータセットを比較することと、液圧流体損失量が閾値を超える場合、マニホールドの少なくとも一部を通した流体連通を遮断するために、マニホールドの隔離弁を作動させることとを含む。
【００４５】
本開示で使用される場合、用語「噴出防止装置」は、限定ではないが、単一噴出防止装置だけではなく、２つ以上の噴出防止装置（例えば、噴出防止装置スタック）を含み得る、噴出防止装置アセンブリを含む。
【００４６】
本マニホールドのおよび／またはそれにおいて使用するために好適な液圧流体は、例えば、海水、脱塩された水、処理水、油性流体、それらの混合物、および／または同等物等、任意の好適な流体から成ることができる。
本明細書は、例えば、以下の項目も提供する。
（項目１）
液圧流体を噴出防止装置の液圧作動式デバイスに提供するためのマニホールドであって、前記マニホールドは、
少なくとも２つの入口であって、各々は、流体源から液圧流体を受け取るように構成されている、少なくとも２つの入口と、
１つ以上の出口であって、前記マニホールドは、各出口が前記入口のうちの少なくとも２つと同時流体連通することを可能にするように構成されている、１つ以上の出口と、
１つ以上の海中弁アセンブリであって、各々は、前記入口のうちの少なくとも１つから、前記１つ以上の出口のうちの少なくとも１つへの液圧流体連通を選択的に制御するように構成されている、１つ以上の海中弁アセンブリと
を備え、
前記１つ以上の出口のうちの少なくとも１つは、前記液圧作動式デバイスの作動ポートと流体連通するように構成されている、マニホールド。
（項目２）
前記入口のうちの少なくとも２つは、各々、それぞれの流体源から液圧流体を受け取るように構成されている、項目１に記載のマニホールド。
（項目３）
前記１つ以上の海中弁アセンブリのうちの少なくとも１つは、前記入口のうちの少なくとも１つを通した流体連通を選択的に遮断するように構成されている１つ以上の隔離弁を備えている、項目１または２に記載のマニホールド。
（項目４）
前記１つ以上の隔離弁のうちの少なくとも１つは、前記入口からの前記流体源の切り離し時、前記入口のうちの少なくとも１つを通した流体連通を自動的に遮断するように構成されている、項目３に記載のマニホールド。
（項目５）
前記１つ以上の海中弁アセンブリのうちの少なくとも１つは、前記１つ以上の出口のうちの少なくとも１つを通した流体連通を選択的に遮断するように構成されている１つ以上の隔離弁を備えている、項目１−４のいずれかに記載のマニホールド。
（項目６）
前記１つ以上の隔離弁のうちの少なくとも１つは、前記液圧作動式デバイスの作動ポートからの出口の切り離し時、前記１つ以上の出口のうちの少なくとも１つを通した流体連通を自動的に遮断するように構成されている、項目５に記載のマニホールド。
（項目７）
液圧流体を噴出防止装置の液圧作動式デバイスに提供するためのマニホールドであって、前記マニホールドは、第１の海中弁モジュールを備え、
前記第１の海中弁モジュールは、
１つ以上の入口であって、各々は、流体源から液圧流体を受け取るように構成されている、１つ以上の入口と、
少なくとも２つの出口であって、前記海中弁モジュールは、各出口が前記１つ以上の入口のうちの同じものと同時流体連通することを可能にするように構成されている、少なくとも２つの出口と、
１つ以上の海中弁アセンブリであって、各々は、前記１つ以上の入口のうちの少なくとも１つから前記出口のうちの少なくとも１つへの液圧流体連通を選択的に制御するように構成されている、１つ以上の海中弁アセンブリと
を備え、
前記出口のうちの第１のものは、前記液圧作動式デバイスの作動ポートと流体連通するように構成され、前記出口のうちの第２のものは、第２の海中弁モジュールの出口と流体連通するように構成されている、マニホールド。
（項目８）
液圧流体を噴出防止装置の液圧作動式デバイスに提供するためのマニホールドであって、前記マニホールドは、第１および第２の海中弁モジュールを備え、
前記第１および第２の海中弁モジュールの各々は、
１つ以上の入口であって、各々は、流体源から液圧流体を受け取るように構成されている、１つ以上の入口と、
１つ以上の出口であって、各々は、前記１つ以上の入口のうちの少なくとも１つと選択的に流体連通する、１つ以上の出口と、
１つ以上の海中弁アセンブリであって、各々は、前記１つ以上の入口のうちの少なくとも１つから、前記１つ以上の出口のうちの少なくとも１つへの液圧流体連通を選択的に制御するように構成されている、１つ以上の海中弁アセンブリと
を備え、
前記第１の海中弁モジュールの前記１つ以上の出口のうちの少なくとも１つは、前記第２の海中弁モジュールの前記１つ以上の出口のうちの少なくとも１つ、および前記液圧作動式デバイスの作動ポートと同時流体連通するように構成されている、マニホールド。
（項目９）
液圧流体を噴出防止装置の液圧作動式デバイスに提供するためのマニホールドであって、前記マニホールドは、第１、第２、および第３の海中弁モジュールを備え、
前記第１、第２、および第３の海中弁モジュールの各々は、
１つ以上の入口であって、各々は、流体源から液圧流体を受け取るように構成されている、１つ以上の入口と、
１つ以上の出口であって、各々は、前記１つ以上の入口のうちの少なくとも１つと選択的に流体連通する、１つ以上の出口と、
１つ以上の海中弁アセンブリであって、各々は、前記１つ以上の入口のうちの少なくとも１つから、前記１つ以上の出口のうちの少なくとも１つへの液圧流体連通を選択的に制御するように構成されている、１つ以上の海中弁アセンブリと
を備え、
前記第１の海中弁モジュールの前記１つ以上の出口のうちの少なくとも１つは、前記第２の海中弁モジュールの前記１つ以上の出口のうちの少なくとも１つ、前記第３の海中弁モジュールの前記１つ以上の出口のうちの少なくとも１つ、および前記液圧作動式デバイスの作動ポートと同時流体連通するように構成されている、マニホールド。
（項目１０）
前記海中弁モジュールのうちの少なくとも１つは、前記海中弁モジュールのうちの少なくとも１つの他のものに結合されるように構成されている、項目７−９のいずれかに記載のマニホールド。
（項目１１）
前記海中弁モジュールのうちの少なくとも２つは、前記海中弁モジュールのうちの前記少なくとも２つが一緒に結合されると、１つ以上の導管を画定し、前記１つ以上の導管は、各々、前記少なくとも２つの海中弁モジュールの各々の出口のうちの少なくとも１つと流体連通し、液圧流体を、前記液圧作動式デバイスのそれぞれの作動ポートに連通させるように構成されている、項目１０に記載のマニホールド。
（項目１２）
前記海中弁モジュールのうちの少なくとも２つは、それぞれの流体源から液圧流体を受け取るように構成されている、項目７−１１のいずれかに記載のマニホールド。
（項目１３）
前記海中弁モジュールの各々は、それぞれの流体源から液圧流体を受け取るように構成されている、項目７−１２のいずれかに記載のマニホールド。
（項目１４）
前記海中弁モジュールのうちの少なくとも１つは、前記１つ以上の入口のうちの少なくとも１つを通した流体連通を選択的に遮断するように構成されている１つ以上の隔離弁を備えている、項目７−１３のいずれかに記載のマニホールド。
（項目１５）
前記１つ以上の隔離弁のうちの少なくとも１つは、前記海中弁モジュールからの前記流体源の切り離し時、前記１つ以上の入口のうちの少なくとも１つを通した流体連通を自動的に遮断するように構成されている、項目１４に記載のマニホールド。
（項目１６）
前記海中弁モジュールのうちの少なくとも１つは、前記出口のうちの少なくとも１つを通した流体連通を選択的に遮断するように構成されている１つ以上の隔離弁を備えている、項目７−１５のいずれかに記載のマニホールド。
（項目１７）
前記１つ以上の隔離弁のうちの少なくとも１つは、前記海中弁モジュールからの前記海中弁モジュールのうちの別のものの切り離し時、前記出口のうちの少なくとも１つを通した流体連通を自動的に遮断するように構成されている、項目１６に記載のマニホールド。
（項目１８）
液圧流体を噴出防止装置の液圧作動式デバイスに提供するためのマニホールドであって、前記マニホールドは、
１つ以上の入口であって、各々は、流体源から液圧流体を受け取るように構成されている、１つ以上の入口と、
１つ以上の出口であって、各々は、前記１つ以上の入口のうちの少なくとも１つと選択的に流体連通する、１つ以上の出口と、
１つ以上の海中弁アセンブリであって、各々は、前記１つ以上の入口のうちの少なくとも１つから、前記１つ以上の出口のうちの少なくとも１つへの液圧流体連通を選択的に制御するように構成されている、１つ以上の海中弁アセンブリと
を備え、
前記１つ以上の海中弁アセンブリのうちの少なくとも１つは、１つ以上の隔離弁を備え、前記隔離弁の各々は、前記１つ以上の入口のうちの少なくとも１つと、前記１つ以上の出口のうちの少なくとも１つとのうちの少なくとも１つを通した流体連通を選択的に遮断するように構成され、
前記１つ以上の出口のうちの少なくとも１つは、前記液圧作動式デバイスの作動ポートと流体連通するように構成されている、マニホールド。
（項目１９）
前記１つ以上の隔離弁のうちの少なくとも１つは、前記液圧作動式デバイスの前記作動ポートからの前記１つ以上の出口のうちの少なくとも１つの切り離しと、前記流体源からの前記１つ以上の入口のうちの少なくとも１の切り離しとのうちの少なくとも１つの切り離し時、前記１つ以上の入口のうちの少なくとも１つと、前記１つ以上の出口のうちの少なくとも１つとのうちの少なくとも１つを通した流体連通を自動的に遮断するように構成されている、項目１８に記載のマニホールド。
（項目２０）
前記１つ以上の海中弁アセンブリのうちの少なくとも１つは、
前記１つ以上の入口のうちの少なくとも１つから前記出口のうちの少なくとも１つへの流体連通を選択的に可能にするように構成されている第１の二方向弁と、
前記出口のうちの少なくとも１つからリザーバおよび海中環境のうちの少なくとも１つに液圧流体を選択的に迂回させるように構成されている第２の二方向弁と
を備えている、項目７−１９のいずれかに記載のマニホールド。
（項目２１）
液圧流体を噴出防止装置の液圧作動式デバイスに提供するためのマニホールドであって、前記マニホールドは、
１つ以上の入口であって、各々は、流体源から液圧流体を受け取るように構成されている、１つ以上の入口と、
１つ以上の出口であって、各々は、前記１つ以上の入口のうちの少なくとも１つと選択的に流体連通する、１つ以上の出口と、
１つ以上の海中弁アセンブリであって、各々は、前記１つ以上の入口のうちの少なくとも１つから、前記１つ以上の出口のうちの少なくとも１つへの液圧流体連通を選択的に制御するように構成されている、１つ以上の海中弁アセンブリと
を備え、
前記１つ以上の海中弁アセンブリのうちの少なくとも１つは、
前記１つ以上の入口のうちの少なくとも１つから、前記１つ以上の出口のうちの少なくとも１つへの流体連通を選択的に可能にするように構成されている第１の二方向弁と、
前記１つ以上の出口のうちの少なくとも１つからリザーバおよび海中環境のうちの少なくとも１つに液圧流体を選択的に迂回させるように構成されている第２の二方向弁と
を備え、
前記１つ以上の出口のうちの少なくとも１つは、前記液圧作動式デバイスの作動ポートと流体連通するように構成されている、マニホールド。
（項目２２）
前記１つ以上の海中弁アセンブリのうちの少なくとも１つは、１つ以上の隔離弁を備え、前記隔離弁の各々は、前記１つ以上の入口のうちの少なくとも１つと、前記１つ以上の出口のうちの少なくとも１つとのうちの少なくとも１つを通した流体連通を選択的に遮断するように構成されている、項目２１に記載のマニホールド。
（項目２３）
前記１つ以上の隔離弁のうちの少なくとも１つは、前記液圧作動式デバイスの前記作動ポートからの前記１つ以上の出口のうちの少なくとも１つの切り離しと、前記流体源からの前記１つ以上の入口のうちの少なくとも１の切り離しとのうちの少なくとも１つの切り離し時、前記１つ以上の入口のうちの少なくとも１つと、前記１つ以上の出口のうちの少なくとも１つとのうちの少なくとも１つを通した流体連通を自動的に遮断するように構成されている、項目２２に記載のマニホールド。
（項目２４）
液圧流体圧力、温度、および流量のうちの少なくとも１つを示すデータを捕捉するように構成されている１つ以上のセンサを備えている、項目１−２３のいずれかに記載のマニホールド。
（項目２５）
前記１つ以上の海中弁アセンブリのうちの少なくとも１つの作動を制御するように構成されているプロセッサを備えている、項目１−２４のいずれかに記載のマニホールド。
（項目２６）
液圧流体圧力、温度、および流量のうちの少なくとも１つを示すデータを捕捉するように構成されている１つ以上のセンサと、
プロセッサと
を備え、
前記プロセッサは、前記１つ以上のセンサによって捕捉されたデータに少なくとも部分的に基づいて、前記１つ以上の海中弁アセンブリのうちの少なくとも１つの作動を制御するように構成されている、項目１−２３のいずれかに記載のマニホールド。
（項目２７）
液圧流体を噴出防止装置の液圧作動式デバイスに提供するためのマニホールドであって、前記マニホールドは、
１つ以上の入口であって、各々は、流体源から液圧流体を受け取るように構成されている、１つ以上の入口と、
１つ以上の出口であって、各々は、前記１つ以上の入口のうちの少なくとも１つと選択的に流体連通する、１つ以上の出口と、
１つ以上の海中弁アセンブリであって、各々は、前記１つ以上の入口のうちの少なくとも１つから、前記１つ以上の出口のうちの少なくとも１つへの液圧流体連通を選択的に制御するように構成されている、１つ以上の海中弁アセンブリと、
液圧流体圧力、温度、および流量のうちの少なくとも１つを示すデータを捕捉するように構成されている１つ以上のセンサと、
プロセッサと
を備え、
前記プロセッサは、前記１つ以上のセンサによって捕捉されたデータに少なくとも部分的に基づいて、前記１つ以上の海中弁アセンブリのうちの少なくとも１つの作動を制御するように構成され、
前記１つ以上の出口のうちの少なくとも１つは、前記液圧作動式デバイスの作動ポートと流体連通するように構成されている、マニホールド。
（項目２８）
前記１つ以上の海中弁アセンブリのうちの少なくとも１つは、
前記１つ以上の入口のうちの少なくとも１つから、前記１つ以上の出口のうちの少なくとも１つへの流体連通を選択的に可能にするように構成されている第１の二方向弁と、
前記１つ以上の出口のうちの少なくとも１つからリザーバおよび海中環境のうちの少なくとも１つに液圧流体を選択的に迂回させるように構成されている第２の二方向弁と
を備えている、項目２７に記載のマニホールド。
（項目２９）
前記１つ以上の海中弁アセンブリのうちの少なくとも１つは、１つ以上の隔離弁を備え、前記隔離弁の各々は、前記１つ以上の入口のうちの少なくとも１つと、前記１つ以上の出口のうちの少なくとも１つとのうちの少なくとも１つを通した流体連通を選択的に遮断するように構成されている、項目２７または２８に記載のマニホールド。
（項目３０）
前記１つ以上の隔離弁のうちの少なくとも１つは、前記液圧作動式デバイスの前記作動ポートからの前記１つ以上の出口のうちの少なくとも１つの切り離しと、前記流体源からの前記１つ以上の入口のうちの少なくとも１の切り離しとのうちの少なくとも１つの切り離し時、前記１つ以上の入口のうちの少なくとも１つと、前記１つ以上の出口のうちの少なくとも１つとのうちの少なくとも１つを通した流体連通を自動的に遮断するように構成されている、項目２９に記載のマニホールド。
（項目３１）
前記マニホールドは、各出口が前記入口のうちの少なくとも２つと同時流体連通することを可能にするように構成されている、項目１８−３０のいずれかに記載のマニホールド。
（項目３２）
前記１つ以上の海中弁アセンブリのうちの少なくとも１つは、三方向弁を備え、
前記三方向弁は、
前記入口のうちの少なくとも１つから前記出口のうちの少なくとも１つへの流体連通を選択的に可能にすることと、
前記出口のうちの少なくとも１つからリザーバおよび海中環境のうちの少なくとも１つに液圧流体を選択的に迂回させることと
を行うように構成されている、項目１−３１のいずれかに記載のマニホールド。
（項目３３）
前記１つ以上の海中弁アセンブリのうちの少なくとも１つは、液圧作動式主段弁を備えている、項目１−３２のいずれかに記載のマニホールド。
（項目３４）
前記１つ以上の海中弁アセンブリのうちの少なくとも１つは、前記主段弁を作動させるように構成されているパイロット段弁を備えている、項目３３に記載のマニホールド。
（項目３５）
前記パイロット段弁は、前記主段弁と統合されている、項目３４に記載のマニホールド。
（項目３６）
前記パイロット段弁を含むように構成されている圧力補償型筐体を備えている、項目３４または３５に記載のマニホールド。
（項目３７）
前記１つ以上の海中弁アセンブリのうちの少なくとも１つは、双安定弁を備えている、項目１−３６のいずれかに記載のマニホールド。
（項目３８）
前記１つ以上の海中弁アセンブリのうちの少なくとも１つは、常時開弁を備えている、項目１−３７のいずれかに記載のマニホールド。
（項目３９）
前記１つ以上の海中弁アセンブリのうちの少なくとも１つは、常時閉弁を備えている、項目１−３８のいずれかに記載のマニホールド。
（項目４０）
前記１つ以上の海中弁アセンブリのうちの少なくとも１つは、調整器を備えている、項目１−３９のいずれかに記載のマニホールド。
（項目４１）
前記１つ以上の海中弁アセンブリのうちの少なくとも１つは、アキュムレータを備えている、項目１−４０のいずれかに記載のマニホールド。
（項目４２）
制御信号を前記海中弁アセンブリのうちの少なくとも１つに伝えるように構成されている制御回路を備えている、項目１−４１のいずれかに記載のマニホールド。
（項目４３）
前記制御回路は、制御信号を受信するように構成されている無線受信機を備えている、項目４２に記載のマニホールド。
（項目４４）
前記制御回路は、有線接続を介して制御信号を受信するように構成されている、項目４２または４３に記載のマニホールド。
（項目４５）
前記制御回路の少なくとも一部は、圧力補償型筐体内に配置されている、項目４２−４４のいずれかに記載のマニホールド。
（項目４６）
前記制御回路の少なくとも一部は、複合型筐体内に配置されている、項目４２−４５のいずれかに記載のマニホールド。
（項目４７）
前記海中弁アセンブリのうちの少なくとも１つと電気通信する１つ以上の電気コネクタを備えている、項目１−４６のいずれかに記載のマニホールド。
（項目４８）
前記１つ以上の電気コネクタのうちの少なくとも１つは、補助ケーブルに結合されるように構成されている、項目４７に記載のマニホールド。
（項目４９）
前記１つ以上の電気コネクタのうちの少なくとも１つは、ロアーマリンライザーパッケージ（ＬＭＲＰ）と電気通信するように構成されている、項目４７または４８に記載のマニホールド。
（項目５０）
前記１つ以上の電気コネクタのうちの少なくとも１つは、誘導結合器を備えている、項目４７−４９のいずれかに記載のマニホールド。
（項目５１）
前記１つ以上の海中弁アセンブリのうちの少なくとも１つと電気通信する１つ以上のバッテリを備えている、項目１−５０のいずれかに記載のマニホールド。
（項目５２）
前記マニホールドは、遠隔動作式水中車両（ＲＯＶ）による操作によって、前記噴出防止装置から取り外し可能であるように構成されている、項目１−５１のいずれかに記載のマニホールド。
（項目５３）
少なくとも１つの流体源が、海中ポンプを備えている、項目１−５２のいずれかに記載のマニホールド。
（項目５４）
少なくとも１つの流体源が、剛体の導管を備えている、項目１−５３のいずれかに記載のマニホールド。
（項目５５）
前記マニホールドは、シャトル弁を備えていない、項目１−５４のいずれかに記載のマニホールド。
（項目５６）
前記出口のうちの少なくとも１つは、前記液圧作動式デバイスの作動ポートと直接流体連通する、項目１−５５のいずれかに記載のマニホールド。
（項目５７）
前記マニホールドは、前記噴出防止装置に結合されている、項目１−５６のいずれかに記載のマニホールド。
（項目５８）
項目１−５７のいずれかに記載のマニホールドを複数備えている、マニホールドアセンブリ。
（項目５９）
前記マニホールドのうちの少なくとも２つは、１つ以上のドライメート型電気コネクタを介して互に電気通信する、項目５８に記載のマニホールドアセンブリ。
（項目６０）
液圧流体を噴出防止装置の液圧作動式デバイスに提供する方法であって、前記方法は、
流体連通するように、少なくとも第１の流体源および第２の流体源を、前記液圧作動式デバイスの作動ポートと結合することを含む、方法。
（項目６１）
前記第１の流体源を、マニホールドの第１の入口に結合することであって、前記マニホールドは、前記第１の入口および前記液圧作動式デバイスと流体連通する出口を有する、ことと、
前記第２の流体源を、前記マニホールドの第２の入口に結合することであって、前記第２の入口は、前記出口と流体連通する、ことと
を含む、項目６０に記載の方法。
（項目６２）
第３の流体源を前記マニホールドの第３の入口に結合することを含み、前記第３の入口は、前記出口と流体連通する、項目６１に記載の方法。
（項目６３）
流体連通するように、前記第３の流体源を前記液圧作動式デバイスの作動ポートと結合することを含む、項目６０−６２のいずれかに記載の方法。
（項目６４）
前記第１の流体源、前記第２の流体源、および前記第３の流体源から、液圧流体を前記液圧作動式デバイスに同時に提供することを含む、項目６２または６３に記載の方法。
（項目６５）
少なくとも前記第１の流体源および前記第２の流体源から、液圧流体を前記液圧作動式デバイスに同時に提供することを含む、項目６０−６４のいずれかに記載の方法。
（項目６６）
少なくとも１つの流体源の圧力を、少なくとも１つの他の流体源の圧力よりも高い圧力に調節することを含む、項目６０−６５のいずれかに記載の方法。
（項目６７）
少なくとも１つの他の流体源から液圧流体を前記液圧作動式デバイスに提供する前に、少なくとも１つの流体源から液圧流体を前記液圧作動式デバイスに提供することを含む、項目６０−６６のいずれかに記載の方法。
（項目６８）
噴出防止装置の液圧作動式デバイスからマニホールドを除去する方法であって、前記マニホールドは、前記液圧作動式デバイスに結合され、それと流体連通し、
前記方法は、
前記液圧作動式デバイスから前記マニホールドを切り離すことと、
前記マニホールドの１つ以上の隔離弁を作動させ、前記マニホールドの少なくとも一部中への海水の流体連通を遮断することと
を含む、方法。
（項目６９）
前記１つ以上の隔離弁のうちの少なくとも１つは、前記液圧作動式デバイスからの前記マニホールドの切り離し時、自動的に作動する、項目６８に記載の方法。
（項目７０）
マニホールドから海中弁モジュールを除去する方法であって、前記マニホールドは、噴出防止装置の液圧作動式デバイスに結合され、それと流体連通し、前記海中弁モジュールは、前記マニホールドに結合され、それと流体連通し、前記方法は、
前記マニホールドから前記海中弁モジュールを切り離すことと、
前記マニホールドの１つ以上の隔離弁を作動させ、前記マニホールドの少なくとも一部中への海水の流体連通を遮断することと
を含む、方法。
（項目７１）
前記海中弁モジュールの１つ以上の隔離弁を作動させ、前記海中弁モジュールの少なくとも一部中への海水の流体連通を遮断することを含む、項目７０に記載の方法。
（項目７２）
前記１つ以上の隔離弁のうちの少なくとも１つは、前記マニホールドからの前記海中弁モジュールの切り離し時、自動的に作動する、項目７０または７１に記載の方法。
（項目７３）
前記１つ以上の隔離弁のうちの少なくとも１つを作動させることは、前記少なくとも１つの隔離弁に電気信号を伝えることを含む、項目６８−７２のいずれかに記載の方法。
（項目７４）
液圧流体を噴出防止装置の液圧作動式デバイスに提供する方法であって、前記方法は、
第１の海中弁モジュールの第１の出口を前記液圧作動式デバイスの作動ポートに結合することと、
第２の海中弁モジュールの第１の出口を前記第１の海中弁モジュールの第２の出口に結合することと
を含み、
各海中弁モジュールは、流体源から液圧流体を受け取るように構成されている入口を有し、前記入口と前記出口の各々との間の同時流体連通を可能にするように構成されている、方法。
（項目７５）
第３の海中弁モジュールの第１の出口を前記第２の海中弁モジュールの第２の出口に結合することを含む、項目７４に記載の方法。
（項目７６）
各海中弁モジュールに対して、それぞれの流体源を前記入口に結合することを含む、項目７４または７５に記載の方法。
（項目７７）
噴出防止装置の液圧作動式デバイスと流体源との間の液圧流体フローを制御する方法であって、前記方法は、
前記液圧作動式デバイスおよび前記流体源と流体連通し、それらの間に結合されているマニホールドの第１の二方向弁を作動させることにより、前記流体源と前記液圧作動式デバイスとの間の流体連通を選択的に可能にすることと、
前記マニホールドの第２の二方向弁を作動させることにより、前記流体源および前記液圧作動式デバイスのうちの少なくとも１つからリザーバおよび海中環境のうちの少なくとも１つに液圧流体を選択的に迂回させることと
を含む、方法。
（項目７８）
前記第１および第２の二方向弁の両方が閉鎖されるように、前記第１および第２の二方向弁を作動させることと、
前記第１および第２の二方向弁が閉鎖された後、前記第１または第２の二方向弁のうちの１つが開放されるように、前記第１または第２の二方向弁のうちの１つを作動させることと
を含む、項目７７に記載の方法。
（項目７９）
前記第２の二方向弁が開放されるように、前記第２の二方向弁を作動させることと、
前記第２の二方向弁が開放された後、前記流体源からの液圧流体がリザーバおよび海中環境のうちの少なくとも１つに迂回されるように、前記第１の二方向弁が開放されるように前記第１の二方向弁を作動させることと、
前記第１および第２の二方向弁の両方が開放された後、前記流体源からの液圧流体が前記液圧作動式デバイスに向かわせられるように、前記第２の二方向弁が閉鎖されるように前記第２の二方向弁を作動させることと
を含む、項目７７または７８に記載の方法。
（項目８０）
前記流体源と前記第１の二方向弁との間で流体連通する隔離弁を作動させ、前記流体源と前記第１の二方向弁との間の流体連通を選択的に遮断することを含む、項目７７−７９のいずれかに記載の方法。
（項目８１）
前記リザーバおよび前記海中環境のうちの少なくとも１つと、前記第２の二方向弁との間で流体連通する隔離弁を作動させ、前記第２の二方向弁と、前記リザーバおよび前記海中環境のうちの少なくとも１つとの間の流体連通を選択的に遮断することを含む、項目７７−８０のいずれかに記載の方法。
（項目８２）
噴出防止装置の液圧作動式デバイスと少なくとも２つの流体源との間の液圧流体フローを制御する方法であって、前記方法は、
前記マニホールドの第１の弁アセンブリを作動させ、第１の流体源からマニホールドの出口への液圧流体の連通を可能にすることであって、前記出口は、前記液圧作動式デバイスの作動ポートと流体連通する、ことと、
プロセッサを用いて、前記出口における液圧流体圧力を監視することと、
前記出口における液圧流体圧力が閾値を下回る場合、前記マニホールドの第２の弁アセンブリを作動させ、第２の流体源から前記出口への液圧流体の連通を可能にすることと
を含む、方法。
（項目８３）
前記出口における液圧流体圧力が閾値を下回る場合、前記マニホールドの隔離弁を作動させ、前記第１の流体源から前記マニホールドの前記出口への液圧流体の連通を遮断することを含む、項目８２に記載の方法。
（項目８４）
噴出防止装置の液圧作動式デバイスと流体源との間の液圧流体フローを制御する方法であって、前記方法は、
プロセッサを用いて、マニホールドの入口を通した流量を示す第１のデータセットを監視することであって、前記第１のデータセットは、第１のセンサによって捕捉され、前記マニホールドは、前記流体源および前記液圧作動式デバイスと、それらの間で流体連通する、ことと、
前記プロセッサを用いて、前記マニホールドの出口を通した流量を示す第２のデータセットを監視することであって、前記第２のデータセットは、第２のセンサによって捕捉される、ことと、
前記プロセッサを用いて、前記第１のデータセットおよび前記第２のデータセットを比較し、前記マニホールド内の液圧流体損失量を決定することと、
前記液圧流体損失量が閾値を超える場合、前記マニホールドの隔離弁を作動させ、前記マニホールドの少なくとも一部を通した流体連通を遮断することと
を含む、方法。
【００４７】
用語「結合される」は、必ずしも直接および必ずしも機械的にではないが、接続されるものとして定義され、「結合される」２つのアイテムは、互に一体であり得る。用語「ａ」および「ａｎ」は、本開示が別様に明示的に要求しない限り、１つ以上のものとして定義される。用語「実質的に」は、当業者によって理解されるように、規定されるものの必ずしも全体的にではなく、大部分として定義される（かつ、規定されるものを含む。例えば、実質的に９０度とは、９０度を含み、実質的に平行とは、平行を含む）。任意の開示される実施形態では、用語「実質的に」および「およそ」は、規定されるものの「ある［パーセンテージ］以内」によって言い換えられ得、パーセンテージは、０．１、１、５、および１０パーセントを含む。
【００４８】
さらに、ある方法で構成されるデバイスまたはシステム（またはいずれかの構成要素）は、少なくともその方法で構成されるが、また、それらの具体的に説明されるもの以外の方法で構成されることもできる。
【００４９】
用語「ｃｏｍｐｒｉｓｅ（〜を備えている）」（ならびに「ｃｏｍｐｒｉｓｅｓ」および「ｃｏｍｐｒｉｓｉｎｇ」等の任意の形態のｃｏｍｐｒｉｓｅ）、「ｈａｖｅ（〜を有する）」（ならびに「ｈａｓ」および「ｈａｖｉｎｇ」等の）任意の形態のｈａｖｅ、「ｉｎｃｌｕｄｅ（〜を含む）」（ならびに「ｉｎｃｌｕｄｅｓ」および「ｉｎｃｌｕｄｉｎｇ」等の任意の形態のｉｎｃｌｕｄｅ）、ならびに「ｃｏｎｔａｉｎ（〜を含む）」（ならびにｃｏｎｔａｉｎｓ」および「ｃｏｎｔａｉｎｉｎｇ」等の任意の形態のｃｏｎｔａｉｎ）は、制限のない連結動詞である。その結果、１つ以上の要素を「備えている」、「有する」、「含む」、または「含む」装置は、それらの要素のみを所有することに限定されず、それらの１つ以上の要素を所有する。同様に、１つ以上のステップを「備えている」、「有する」、「含む」、または「含む」方法は、それらの１つ以上のステップのみを所有することに限定されず、それらの１つ以上のステップを所有する。
【００５０】
装置、システム、および方法のいずれかの任意の実施形態は、説明されるステップ、要素、および／または特徴のいずれかを備えている／含む／含む／有するのではなく、それらから成るまたは本質的に成ることができる。したがって、請求項のいずれかにおいて、用語「ｃｏｎｓｉｓｔｉｎｇ  ｏｆ（〜から成る）」または「ｃｏｎｓｉｓｔｉｎｇ  ｅｓｓｅｎｔｉａｌｌｙ  ｏｆ（〜から本質的に成る）」は、そうでなければ、制限のない連結動詞を使用していたであろうものから所与の請求項の範囲を変更するために、前述の制限のない連結動詞のいずれかによって言い換えられることができる。
【００５１】
一実施形態の特徴または複数の特徴は、本開示または実施形態の性質によって明示的に禁止されない限り、説明または例証されない場合であっても、他の実施形態に適用され得る。
【００５２】
前述の実施形態およびその他のものに関連付けられたいくつかの詳細が、以下に説明される。
【図面の簡単な説明】
【００５３】
以下の図面は、限定ではなく、実施例として例証するものである。簡潔性および明確性のために、所与の構造の全ての特徴は、常時、その構造が現れる全ての図において標識されるわけではない。同じ参照番号は、必ずしも、同じ構造を示すわけではない。むしろ、同一参照番号は、同じではない参照番号であり得るものと類似する特徴または類似する機能性を伴う特徴を示すために使用され得る。図は、正確な縮尺で描かれており（別様に注記されない限り）、描写される要素のサイズが、少なくとも図に描写される実施形態のために、互に対して正確であることを意味する。
【００５４】
【図１Ａ】図１Ａは、本マニホールドの第１の実施形態の上面斜視図である。
【図１Ｂ】図１Ｂおよび１Ｃは、各々、図１Ａのマニホールドの上面および底面図である。
【図１Ｃ】図１Ｂおよび１Ｃは、各々、図１Ａのマニホールドの上面および底面図である。
【図１Ｄ】図１Ｄおよび１Ｅは、図１Ａのマニホールドの対向側面図である。
【図１Ｅ】図１Ｄおよび１Ｅは、図１Ａのマニホールドの対向側面図である。
【図１Ｆ】図１Ｆおよび１Ｇは、図１Ａのマニホールドの対向端面図である。
【図１Ｇ】図１Ｆおよび１Ｇは、図１Ａのマニホールドの対向端面図である。
【図１Ｈ】図１Ｈは、図１Ａのマニホールドの底面斜視図である。
【図２Ａ】図２Ａ−２Ｃは、図１Ａのマニホールドの図である。
【図２Ｂ】図２Ａ−２Ｃは、図１Ａのマニホールドの図である。
【図２Ｃ】図２Ａ−２Ｃは、図１Ａのマニホールドの図である。
【図３Ａ】図３Ａおよび３Ｂは、噴出防止装置の液圧作動式デバイスに結合されて示される、図１Ａのマニホールドの２つの斜視図である。
【図３Ｂ】図３Ａおよび３Ｂは、噴出防止装置の液圧作動式デバイスに結合されて示される、図１Ａのマニホールドの２つの斜視図である。
【図４Ａ】図４Ａおよび４Ｂは、噴出防止装置の液圧作動式デバイスを制御する本方法のいくつかの実施形態のフローチャートである。
【図４Ｂ】図４Ａおよび４Ｂは、噴出防止装置の液圧作動式デバイスを制御する本方法のいくつかの実施形態のフローチャートである。
【図５Ａ】図５Ａは、図１Ａのマニホールドの海中弁モジュールの上面斜視図である。
【図５Ｂ】図５Ｂおよび５Ｃは、各々、図５Ａの海中弁モジュールの上面および底面図である。
【図５Ｃ】図５Ｂおよび５Ｃは、各々、図５Ａの海中弁モジュールの上面および底面図である。
【図５Ｄ】図５Ｄおよび５Ｅは、図５Ａの海中弁モジュールの対向側面図である。
【図５Ｅ】図５Ｄおよび５Ｅは、図５Ａの海中弁モジュールの対向側面図である。
【図５Ｆ】図５Ｆおよび５Ｇは、図５Ａの海中弁モジュールの対向端面図である。
【図５Ｇ】図５Ｆおよび５Ｇは、図５Ａの海中弁モジュールの対向端面図である。
【図５Ｈ】図５Ｈは、図５Ａの海中弁モジュールの底面斜視図である。
【図６】図６は、図５Ａの海中弁モジュールの図である。
【図７】図７は、本マニホールドの第２の実施形態の図である。
【図８Ａ】図８Ａおよび８Ｂは、本マニホールドのいくつかの実施形態において使用するために好適な、双安定弁の図である。
【図８Ｂ】図８Ａおよび８Ｂは、本マニホールドのいくつかの実施形態において使用するために好適な、双安定弁の図である。
【図９】図９は、図８Ａおよび８Ｂの双安定弁の例示的作動を示す、図である。
【発明を実施するための形態】
【００５５】
ここで図面を、より具体的には、図１Ａ−１Ｈおよび２Ａ−２Ｃを参照すると、その中に示され、参照番号１０ａによって指定されるものが、本マニホールドの第１の実施形態である。示される実施形態では、マニホールド１０ａは、時として、集合的に「入口１４」と称される、少なくとも２つの入口（例えば、１４ａおよび１４ｂ）（例えば、示されるように、６つの入口）を備え、各々は、（以下でより詳細に説明される）流体源（例えば、１８ａおよび／または１８ｂ）から液圧流体を受け取るように構成される。本開示で使用される場合、マニホールドの「入口」とは、マニホールドが液圧流体を噴出防止装置の液圧作動式デバイスに伝達し得るように、流体源から液圧流体を受け取るように構成される、マニホールドの構造を指す。
【００５６】
示されるように、本実施形態では、少なくとも２つの入口１４は、それぞれの（例えば、別個の）流体源から液圧流体を受け取るように構成される。本開示で使用される場合、流体源は、限定ではないが、圧力源を含み、圧力源は、フロー源を含み得る。例えば、２つの別個の流体源は、液圧流体の共有部分を備え、および／またはそれを連通させていることも、それを備えていない、および／または連通させていないこともあるが、２つの別個の流体源によって提供される圧力は、（例えば、互に独立して圧力を生成することが可能な）個々の圧力源によって生成される。本開示のマニホールドは、例えば、海中ポンプ、海上ポンプ、剛体の導管、ホットライン、アキュムレータ、リザーバ、および／または同等物等、任意の好適な流体源から液圧流体を受け取るように構成されることができる。本マニホールドのいくつかの実施形態との使用のために好適な海中ポンプの実施例が、２０１４年８月１５日に出願され、「ＳＵＢＳＥＡ  ＰＵＭＰＩＮＧ  ＡＰＰＡＲＡＴＵＳＥＳ  ＡＮＤ  ＲＥＬＡＴＥＤ  ＭＥＴＨＯＤＳ」と題された、係属中の米国特許出願第１４／４６１，３４２号に開示され、その全体が、参照することによって本明細書に組み込まれる。
【００５７】
示される実施形態では、マニホールド１０ａは、時として、集合的に「出口２２」と称される、１つ以上の出口（例えば、２２ａ）（例えば、示されるように、４つの出口）を備えている。本実施形態では、出口２２の各々は、液圧作動式デバイス３０（図３Ａおよび３Ｂ）の作動ポートと流体連通するように構成される。本マニホールドは、液圧流体を、例えば、ラム、環状空間、アキュムレータ、試験弁、フェイルセーフ弁、抑圧および／または閉塞のラインおよび／または弁、ライザージョイント、液圧コネクタ、および／または同等物等、任意の好適な液圧作動式デバイスに提供するために使用されることができる。図３Ａおよび３Ｂに示されるように、本実施形態では、マニホールド１０ａは、例えば、（剛体か可撓性か）弁、ホース、パイプ、チューブ、導管、ワイヤ、および／または同等物等、結合構造を介して、電気的、液圧式、機械的、および／または同等物のいずれかで、液圧作動式デバイス３０に結合され、それと流体連通するように構成される。しかしながら、他の実施形態では、本マニホールドは、液圧作動式デバイス（例えば、３０）に直接結合され、それと流体連通し得る。
【００５８】
本マニホールドの（以下により詳細に説明される）入口１４、出口２２、ベント３４、および／または同等物は、例えば、（例えば、接管、ウェッジ、クイックディスコネクトカプラ、および／または同等物を介する）相互係止特徴、面密封構成要素、液圧スタブ（例えば、単一または複数いずれかのスタブとして構成されたもの）、スティンガ、および／または同等物を通して嵌合するように構成されるコネクタ等、液圧流体を受け取るか、または提供するための任意の好適なコネクタを備えていることができる。
【００５９】
入口１４、出口２２、ベント３４、関連付けられた流体通路および／または導管、および／または同等物の任意の一部は、（例えば、機械加工されるように）マニホールドの本体または筐体３８によって、かつその内で画定され、および／または（剛体か可撓性か）（例えば、本体または筐体３８内に配置される）ホース、パイプ、チューブ、導管、および／または同等物を備えていることができる。しかしながら、他の実施形態では、本体または筐体３８は、省かれ得、マニホールドのパイプ、チューブ、導管、構成要素（例えば、弁および／または同等物）、構成要素筐体、および／または同等物は、マニホールドアセンブリ内で互に対して構成要素を位置付け、および／または固定するように機能することができる。
【００６０】
図２Ａ−２Ｃに最良に示され、描写される実施形態では、マニホールド１０ａは、時として、集合的に「弁アセンブリ４２」と称される、１つ以上の海中弁アセンブリ（例えば、弁アセンブリ４２ａ）（例えば、示されるように、６つの海中弁アセンブリ）を備えている。弁アセンブリは、弁の集合であり、含まれるものに限定されないが、（以下により詳細に説明される）主段弁、パイロット段弁、隔離弁、逆止弁、逃し弁、および／または同等物を含み得る。弁アセンブリ４２ａの以下の説明は、実施例として提供され、他の弁アセンブリ４２が、弁アセンブリ４２ａに関して以下に説明される特徴のいずれかおよび／または全てを備えていることも、備えていないこともある。本実施形態では、弁アセンブリ４２ａは、入口１４ａから出口２２ａへの液圧流体連通を選択的に制御するように構成される。描写される実施形態では、弁アセンブリ４２ａは、本体または筐体３８内に、少なくとも部分的に含まれる。
【００６１】
本マニホールドの弁（例えば、以下により詳細に説明される、主段弁、パイロット段弁、隔離弁、逃し弁、および／または同等物）は、例えば、スプール弁、ポペット弁、ボール弁、および／または同等物等、任意の好適な弁を備えていることができ、例えば、二位置双方向（２Ｐ２Ｗ）、２Ｐ３Ｗ、２Ｐ４Ｗ、３Ｐ４Ｗ、および／または同等物等、任意の好適な構成を備えていることができる。本マニホールドの弁は、（例えば、例えば、フェイルセーフ機能性を提供することによって、耐故障性を増加させ得る）常時閉、および／または常時開であり得る。本実施形態では、液圧作動式デバイス（例えば、３０）への、および／またはそれからの液圧流体連通を直接制御するように構成される弁（例えば、第１の二方向弁４６、第２の二方向弁５０、主段弁、隔離弁５４、および／または同等物）は、最大７，５００ポンド毎平方インチゲージ（ｐｓｉｇ）以上の液圧流体圧力と、最大５，０００ｐｓｉｇ以上の大気圧とに耐えるように構成される。
【００６２】
弁アセンブリ４２ａの以下の説明は、限定としてではなく、実施例としてのみ提供される。示される実施形態では、弁アセンブリ４２ａは、入口１４ａから出口２２ａへの（例えば、液圧作動式デバイス３０への）流体連通を選択的に制御するように構成される、第１の二方向弁４６と、出口２２ａから（例えば、液圧作動式デバイスから）（以下に示され、説明される）リザーバおよび海中環境のうちの少なくとも１つに、（例えば、ベント３４を介して）液圧流体を選択的に迂回させるように構成される、第２の二方向弁５０とを備えている。本実施形態では、二方向弁４６および５０は、弁アセンブリ４２ａの作動がデジタル式であるように、オン／オフ弁として構成されるが、他の実施形態では、１つ以上の弁（例えば、４６、５０、および／または同等物）は、アナログ式であり得る。
【００６３】
２つの二方向弁の使用は、（例えば、単一の三方向弁とは対照的に）弁アセンブリ４２ａが、潜在的な単一故障点を減少させることを促進する。例えば、示される実施形態では、二方向弁４６が開放したままである場合に、二方向弁５０は、（例えば、液圧作動式デバイス３０の望ましくない作動を軽減するために）流体源１８ａから（例えば、ベント３４を通して、リザーバおよび海中環境のうちの少なくとも１つに）液圧流体を迂回させるために作動させられることができる。さらなる実施例として、二方向弁５０が開放したままである場合に、二方向弁４６は、（例えば、ベント３４を通した液圧流体の損失を防止するために）流体源１８ａから弁アセンブリ４２ａを隔離するために作動させられることができる。したがって、いずれかの弁が故障した場合、他の弁が、液圧システム（例えば、液圧作動式デバイス３０、マニホールド１０ａ、および流体源１８ａ）に対する任意の悪影響を軽減および／または低減するように機能することができる。したがって、（例えば、弁アセンブリ４２ａ内にあるような）２つの二方向弁の実装は、潜在的により多くの構成要素を要求するにもかかわらず、単一（例えば、三方向弁）構成に優る信頼性および耐故障性を増加させることができる。加えて、二方向弁は、概して、三方向弁よりも安価であり、複雑ではなく、より良好な密封を提供し、よりロバスト性があり得る。
【００６４】
噴出防止装置の液圧作動式デバイス（例えば、３０）と、流体源（例えば、１８ａ）との間の液圧流体フローを制御する本方法のいくつかの実施形態は、流体源と、液圧作動式デバイスとの間の流体連通を選択的に可能にするために、液圧作動式デバイスと、流体源との間に結合され、それらと流体連通する、マニホールド（例えば、１０ａ）の第１の二方向弁（例えば、４６）を作動させることと、流体源および液圧作動式デバイスのうちの少なくとも１つからリザーバおよび海中環境のうちの少なくとも１つに、（例えば、ベント３４を介して）液圧流体を選択的に迂回させるために、マニホールドの第２の二方向弁（例えば、５０）を作動させることとを含む。
【００６５】
そのような二方向弁は、種々の（例えば、追加の）利益を提供することができ、その非限定的実施例は、以下に説明される。例えば、示される実施形態では、二方向弁４６および５０は、弁アセンブリ４２ａの作動中、液圧流体損失が最小限にされるように作動させられることができる。例証するために、二方向弁４６または５０のいずれかが開放される前に、両方の二方向弁が、閉鎖されることができる。このように、フローの短絡（例えば、流体源１８ａからベント３４へのフロー）は、低減されることができる。
【００６６】
噴出防止装置の液圧作動式デバイス（例えば、３０）と、流体源（例えば、１８ａ）との間の液圧流体フローを制御する本方法のいくつかの実施形態は、第１および第２の二方向弁の両方が閉鎖されるように、第１の二方向弁および第２の二方向弁（例えば、各々、４６および５０）を作動させることと、第１および第２の二方向弁が閉鎖された後、第１または第２の二方向弁のうちの１つが開放されるように、第１または第２の二方向弁のうちの１つを作動させることとを含む。
【００６７】
少なくとも２つの弁（例えば、第１の二方向弁４６および第２の二方向弁５０）を備えている弁アセンブリ（例えば、４２ａ）は、液圧流体を用いて弁アセンブリ、マニホールド（例えば、１０ａ）、および／または液圧作動式デバイス（例えば、３０）を洗い流すことを促進するように構成されることができる。例えば、示される実施形態では、第１の二方向弁４６および第２の二方向弁５０の両方は、流体源１８ａからの液圧流体が、入口１４ａから、弁アセンブリ４２ａを通って、ベント３４、リザーバ、海中環境、および／または同等物に連通するように、開放され得る。このように、例えば、海水が弁アセンブリ４２ａ、マニホールド１０ａ、または液圧作動式デバイス３０に進入する場合に、流体源１８ａからの液圧流体は、弁アセンブリ、マニホールド、および／または液圧作動式デバイスから、海水の少なくとも一部を排出するか、または洗い流すために使用されることができる。
【００６８】
いくつかの実施形態では、本マニホールドの弁（例えば、二方向弁４６、二方向弁５０、主段弁、隔離弁５４、および／または同等物）は、流体ハンマー（例えば、流体が突然の運動量変化を受けたときに発生し得る、圧力サージまたは波）の発生および／または影響を軽減するように構成されることができる。例えば、いくつかの実施形態では、そのような弁は、弁を通して（例えば、弁フロー領域、閉鎖および／または開放速度、および／または同等物の構成を通して）、流体流量における漸進的な変化を提供するように構成され、したがって、弁の作動中の液圧流体運動量における変化を最小化することができる。
【００６９】
示される実施形態では、二方向弁４６および５０の作動は、流体ハンマーの発生および／または影響を軽減することができる。例えば、二方向弁５０は、二方向弁４６を開放または閉鎖するとき、液圧流体の一部を（例えば、ベント３４に）迂回させるように作動させられることができる。このように、二方向弁５０は、二方向弁４６の開放または閉鎖から、そうでなければもたらされ得る、弁アセンブリ４２ａ、マニホールド１０ａ、および／または液圧作動式デバイス３０を通って流れる液圧流体における急な圧力上昇または急速な運動量変化を緩和するように作動させられることができる。
【００７０】
噴出防止装置の液圧作動式デバイス（例えば、３０）と、流体源（例えば、１８ａ）との間の液圧流体フローを制御する本方法のいくつかの実施形態は、第２の二方向弁が開放されるように、第２の二方向弁（例えば、５０）を作動させることと、第２の二方向弁が開放された後、流体源からの液圧流体がリザーバおよび海中環境のうちの少なくとも１つに迂回されるように、第１の二方向弁が開放されるように、第１の二方向弁（例えば、４６）を作動させることと、第１および第２の二方向弁の両方が開放された後、流体源からの液圧流体が液圧作動式デバイスに向かわせられるように、第２の二方向弁が閉鎖されるように、第２の二方向弁を作動させることとを含む。
【００７１】
示される実施形態では、弁アセンブリ４２ａは、（以下により詳細に説明される）１つ以上の隔離弁５４を備えている。本実施形態では、１つ以上の隔離弁５４は、他の弁（例えば、第１の二方向弁４６および／または第２の二方向弁５０、主段弁、ならびに／もしくは同等物）の作動前および／または後に作動させられることができる。このように、隔離弁５４は、例えば、液圧作動式デバイス（例えば、３０）の望ましくない作動、望ましくない液圧流体の損失、および／または流体ハンマーの発生ならびに／もしくは影響を軽減するように構成されることができる。
【００７２】
例証するために、噴出防止装置の液圧作動式デバイス（例えば、３０）と、流体源（例えば、１８ａ）との間の液圧流体フローを制御する本方法のいくつかの実施形態は、（例えば、流体源１８ａから弁アセンブリ４２ａを選択的に隔離するために）流体源と、第１の二方向弁との間の流体連通を選択的に遮断するために、流体源と、第１の二方向弁（例えば、４６）との間で流体連通する隔離弁（例えば、５４）を作動させることを含む。いくつかの実施形態は、（例えば、ベント３４、リザーバ、海中環境、および／または同等物から弁アセンブリ４２を選択的に隔離するために）第２の二方向弁と、リザーバおよび海中環境のうちの少なくとも１つ（例えば、ベント３４）との間の流体連通を選択的に遮断するために、リザーバおよび海中環境のうちの少なくとも１つ（例えば、ベント３４）と、第２の二方向弁（例えば、５０）との間で流体連通する隔離弁（例えば、５４）を作動させることを含む。
【００７３】
入口１４、出口２２、弁アセンブリ４２、および／または同等物の構成を通して、本マニホールドのいくつかの実施形態は、少なくとも２つの別個の流体源から、同時に（例えば、受動的冗長性）、および／または別個の流体源を選択することによって（例えば、能動的冗長性）、液圧流体を液圧作動式デバイスに提供するように構成される。例えば、示される実施形態では、（例えば、弁アセンブリ４２の構成を通した）マニホールド１０ａは、各出口２２が、入口１４のうちの少なくとも２つと流体連通することを可能にするように構成される（例えば、示されるように、出口２２ａは、３つの入口１４ａ、１４ｂ、１４ｃと流体連通し、示されるように、出口２２ｂは、３つの入口１４ｄ、１４ｅ、１４ｆと流体連通する）。しかしながら、他の実施形態では、本マニホールドは、各出口２２が、例えば、１つの入口、２つの入口（二重モード冗長性）、３つの入口（三重モード冗長性）、４つの入口（四重モード冗長性）、またはそれを上回る入口（ｎ重モード冗長性）等、任意の数の入口１４と流体連通することを可能にするように構成されることができる。
【００７４】
液圧流体を噴出防止装置の液圧作動式デバイス（例えば、３０）に提供する本方法のいくつかの実施形態は、少なくとも第１の流体源（例えば、１８ａ）および第２の流体源（例えば、１８ｂ）を、液圧作動式デバイスの作動ポートと結合し、流体連通させることを含む。いくつかの実施形態は、第１の流体源を、第１の入口および液圧作動式デバイスと流体連通する出口（例えば、２２ａ）を有する、マニホールド（例えば、１０ａ）の第１の入口（例えば、１４ａ）に結合することと、第２の流体源を、マニホールドの第２の入口（例えば、１４ｂ）に結合することであって、第２の入口は、出口と流体連通する、こととを含む（例えば、二重モード冗長性）。いくつかの実施形態は、第３の流体源（例えば、１８ｃ）を、液圧作動式デバイスの作動ポートと結合し、流体連通させることを含む。いくつかの実施形態は、第３の流体源を、マニホールドの第３の入口（例えば、１４ｃ）に結合することを含み、第３の入口は、出口と流体連通する（例えば、三重モード冗長性）。
【００７５】
噴出防止装置の液圧作動式デバイス（例えば、３０）と、少なくとも２つの流体源（例えば、１８ａ、１８ｂ、１８ｃ、および／または同等物）との間の液圧流体フローを制御する本方法のいくつかの実施形態は、第１の流体源（例えば、１８ａ）からマニホールドの出口（例えば、２２ａ）への液圧流体の連通を可能にするために、マニホールド（例えば、１０ａ）の第１の弁アセンブリ（例えば、４２ａ）を作動させることであって、出口は、液圧作動式デバイスの作動ポートと流体連通する、ことと、プロセッサ（例えば、以下により詳細に説明される、８６）を用いて、出口における液圧流体圧力を監視することと、出口における液圧流体圧力が閾値（例えば、最小動作圧力）を下回る場合、第２の流体源（例えば、１８ｂ）から出口への液圧流体の連通を可能にするために、マニホールドの第２の弁アセンブリ（例えば、４２ｂ）を作動させることとを含む（例えば、二重モード能動的冗長性）。いくつかの実施形態は、出口における液圧流体圧力が閾値を下回る場合、第１の流体源からマニホールドの出口への液圧流体の連通を遮断するために、マニホールドの隔離弁（例えば、５４）を作動させることを含む。
【００７６】
加えて図４Ａおよび４Ｂを参照すると、（例えば、能動的冗長性を使用して）噴出防止装置の液圧作動式デバイス（例えば、３０）を制御する本方法のいくつかの実施形態に関するフローチャートが、示される。例えば、図４Ａでは、ステップ４０４において、マニホールド（例えば、１０ａ）は、（例えば、ラムを開放または閉鎖するために）噴出防止装置の液圧作動式デバイスを作動させるために、（例えば、電気コネクタ７４、制御回路７８ａおよび／または７８ｂ、ならびに／もしくは同等物を介して）コマンドを受信することができる。本実施例では、ステップ４０８において、パイロット段弁（例えば、以下により詳細に説明される、５８）が、例えば、液圧作動式デバイスを作動させるための液圧流体を提供するために選択される流体源（例えば、１８ａ、１８ｂ、１８ｃ、および／または同等物）に応じて、作動のために選択されることができる。描写される実施例では、ステップ４１２において、選択されたパイロット段弁は、選択された流体源から液圧作動式デバイスへの液圧流体連通を制御する主段弁を操縦するように作動させられることができる（例えば、選択されたパイロット段弁が電気的に作動させられる場合、選択されたパイロット段弁のコイルに通電することによって）。示される実施例では、マニホールド出口（例えば、２２ａ）における液圧流体圧力が、（例えば、液圧作動式デバイスが加圧された液圧流体を受け取っているかどうかを決定するために）（例えば、１つ以上のセンサ９４によって）ステップ４１６において監視されることができる。ステップ４２０において、本実施例では、液圧作動式デバイスが（例えば、液圧作動式デバイスの最小動作圧力を上回る等、例えば、十分な圧力において）加圧された液圧流体を受け取っている場合、作動は、ステップ４３２において、成功している可能性が高いと見なされ得る。しかしながら、描写される実施例では、液圧作動式デバイスが（例えば、十分な圧力において）加圧された液圧流体を受け取っていない場合、作動は、ステップ４２４において、失敗している可能性が高いと見なされ得る。ステップ４２８において、本実施例では、別の流体源（例えば、１８ａ、１８ｂ、１８ｃ、および／または同等物）が、（例えば、オペレータ、プロセッサ８６、および／または同等物によって）選択され得、ステップ４０８から４２０は、繰り返され得る。
【００７７】
図４Ｂでは、例えば、ステップ４３６において、マニホールド（例えば、１０ａ）は、（例えば、ラムを開放または閉鎖するために）噴出防止装置の液圧作動式デバイスを作動させるために、（例えば、電気コネクタ７４、制御回路７８ａおよび／または７８ｂ、ならびに／もしくは同等物を介して）コマンドを受信することができる。本実施例では、ステップ４４０において、流体源（例えば、１８ａ、１８ｂ、１８ｃ、および／または同等物）が、（例えば、オペレータ、プロセッサ８６、および／または同等物によって）（例えば、動作可能として示される流体源のリストから）液圧作動式デバイスを作動させるための液圧流体を提供するために選択されることができる。ステップ４４４において、描写される実施例では、弁アセンブリ（例えば、４２）が、選択された流体源から液圧作動式デバイスに液圧流体を提供するように作動させられることができる。示される実施例では、ステップ４４８において、選択されなかった流体源が、（例えば、１つ以上の隔離弁５４を作動させることによって）液圧作動式デバイスから隔離され得る。ステップ４５２において、本実施例では、マニホールド出口（例えば、２２ａ）における液圧流体圧力が、（例えば、液圧作動式デバイスが加圧された液圧流体を受け取っているかどうかを決定するために）（例えば、１つ以上のセンサ９４によって）監視されることができる。ステップ４５６において、本実施例では、液圧作動式デバイスが（例えば、例えば、液圧作動式デバイスの最小動作圧力を上回る等、十分な圧力において）加圧された液圧流体を受け取っている場合、成功した動作のさらなる検証が、ステップ４６８において、実施されることができる。しかしながら、描写される実施例では、液圧作動式デバイスが（例えば、十分な圧力において）加圧された液圧流体を受け取っていない場合、選択された流体源は、ステップ４６０において、（例えば、１つ以上の隔離弁５４を作動させることによって）液圧作動式デバイスから隔離されることができる。ステップ４６４において、本実施例では、選択された流体源は、動作不能として示され得、ステップ４４０から４５６は、繰り返され得る。
【００７８】
いくつかの実施形態では、受動的冗長性は、シャトル弁が存在しないことによって促進されることができる（例えば、したがって、例えば、１８ａおよび１８ｂ等、少なくとも２つの別個の流体源が、液圧作動式デバイスと同時流体連通することを可能にする）。シャトル弁は、現在の噴出防止装置液圧システムにおいて、共通の単一故障点を構成し得る。例えば、シャトル弁が動かない場合、関連付けられる噴出防止装置の１つ以上の液圧作動式デバイスは、動作不能状態にされ得る。したがって、そのようなシャトル弁が存在しないことは、全体的なシステム信頼性を増加させ得る。
【００７９】
弁アセンブリ４２の状態に応じて、マニホールド１０ａは、（例えば、第１の入口に関連付けられる弁アセンブリ４２の二方向弁４６および５０が、各々、開および閉位置にあり、第２の入口に関連付けられる弁アセンブリ４２の二方向弁４６および５０が、各々、開および閉位置にあるとき）少なくとも２つの入口１４と同時流体連通することが可能であり、そうするように構成され、いくつかの実施形態は、通常、少なくとも２つの入口１４と同時流体連通する各出口２２と動作させられる。
【００８０】
例えば、本方法のいくつかの実施形態は、少なくとも第１の流体源および第２の流体源から、液圧流体を液圧作動式デバイスに同時に提供することを含む（例えば、二重モード受動的冗長性）。さらなる実施例として、本方法のいくつかの実施形態は、第１の流体源、第２の流体源、および第３の流体源から、液圧流体を液圧作動式デバイスに同時に提供することを含む（例えば、三重モード受動的冗長性）。
【００８１】
いくつかの実施形態では、流体源（例えば、１８ａ、１８ｂ、１８ｃ、および／または同等物）から液圧作動式デバイスに供給される圧力は、（例えば、マニホールド１０ａの外側および／または内側の、以下により詳細に説明される、調整器１０２によって）調節されることができる。例えば、本方法のいくつかの実施形態は、少なくとも１つの流体源の圧力を、少なくとも１つの他の流体源の圧力よりも高い圧力に調節することを含む。
【００８２】
いくつかの実施形態（例えば、１０ａ）では、本マニホールドは、流体源が、マニホールド、弁アセンブリ４２、および／または液圧作動式デバイス３０内の圧力スパイク（例えば、流体ハンマー）を低減するように制御され得るように、構成されることができる。例えば、いくつかの実施形態は、（例えば、液圧流体を第１の流体源から供給するための、少なくとも１つの弁アセンブリ４２の作動が、液圧流体を第２の流体源から供給するための、少なくとも他の１つの弁アセンブリ４２の作動後に発生する場合）各々がそれぞれの別個の流体源に関連付けられる、少なくとも２つの弁アセンブリ４２が、液圧流体を出口２２に連続的に提供するように作動するように、構成されることができる。
【００８３】
例えば、液圧流体を噴出防止装置の液圧作動式デバイス（例えば、３０）に提供する本方法のいくつかの実施形態は、少なくとも１つの他の流体源（例えば、弁アセンブリ４２ｂの作動を介する、１８ｂ）から、液圧流体を液圧作動式デバイスに提供するステップの前に、少なくとも１つの流体源（例えば、弁アセンブリ４２ａの作動を介する、１８ａ）から、液圧流体を液圧作動式デバイスに提供することを含む。
【００８４】
本開示のマニホールドは、任意の数の液圧作動式デバイスおよび／またはその機能を作動させるように構成されることができる。例えば、示される実施形態では、マニホールド１０ａは、各々が液圧作動式デバイスのそれぞれのポートと流体連通する（例えば、閉鎖ポートと流体連通する出口２２ａおよび開放ポートと流体連通する出口２２ｂ）、および／またはそれぞれの液圧作動式のポートと流体連通する（例えば、第１の液圧作動式デバイスのポートと流体連通する出口２２ａおよび第２の液圧作動式デバイスのポートと流体連通する出口２２ｂ）ように構成される、２つの出口（例えば、２２ａおよび２２ｂ）を備えている。少なくとも部分的に出口２２ａおよび２２ｂにより、マニホールド１０ａは、液圧作動式デバイスの少なくとも２つの機能および／または少なくとも２つの液圧作動式デバイスを作動させるように構成される（例えば、マニホールド１０ａは、２機能マニホールドである）。しかしながら、他の実施形態では、本マニホールドは、例えば、１個、２個、３個、４個、５個、６個、７個、８個、９個、１０個、１５個、２０個、２５個、３０個、３５個、４０個、４５個、５０個、５５個、６０個のうちの任意の１つを上回るか、またはそれらのうちの任意の２つの間の数、またはそれを上回る液圧作動式デバイス等、任意の好適な数の液圧作動式デバイス、および／または液圧作動式デバイスの機能を作動させるように構成されることができる（例えば、また、デバイスおよび／または機能は、各々がマニホールドのそれぞれの出口と流体連通することができる）。
【００８５】
本実施形態では、マニホールド１０ａは、（前述されるように、弁アセンブリ４２の状態に応じて）出口２２の各々が、少なくとも２つの入口１４のそれぞれの組と流体連通するように構成される。例えば、本実施形態では、マニホールド１０ａは、出口２２ａが入口１４ａ、１４ｂ、および１４ｃと流体連通し、出口２２ｂが入口１４ｄ、１４ｅ、および１４ｆと流体連通するように構成される。示されるように、出口２２ａに関連付けられる入口１４ａ、１４ｂ、および１４ｃは、出口２２ｂに関連付けられる入口１４ｄ、１４ｅ、および１４ｆから、マニホールド１０ａの実質的に対向する側に配置されるが、他の実施形態では、本マニホールドは、任意の好適な構成（例えば、単一液圧スタブが流体源（例えば、１８ａ、１８ｂ、１８ｃ、および／または同等物）と流体連通するように入口１４の各々を置き得るように、入口１４ｄ、１４ｅ、および１４ｆと、マニホールドの同じ側にある、例えば、入口１４ａ、１４ｂ、および１４ｃ）を備えていることができる。
【００８６】
マニホールド１０ａが入口１４およびベント３４に関して説明されているが、当業者に明白であろうように、本マニホールドのいくつかの実施形態のベント３４は、流体源（例えば、１８ａ、１８ｂ、１８ｃ、および／または同等物）と流体連通して置かれることができる。したがって、いくつかの事例では、ベント３４は、入口１４として機能するように構成されることができる。このように、例えば、入口１４のうちの１つおよび／または接続される流体源が、液圧流体を関連付けられる出口２２のうちの１つに伝達するために動作不能となる場合、（例えば、関連付けられる弁アセンブリ４２と流体連通する）ベント３４は、（例えば、マニホールドの機能性のうちの少なくともいくつかを維持するために）流体源と流体連通して置かれることができる。示される実施形態では、出口２２の各々は、ベント３４のうちの少なくとも２つと選択的に流体連通する。このように、ベントが動作不能になる（例えば、二方向弁５０が閉鎖したままである）場合に、少なくとも他の１つのベントが、例えば、液圧作動式デバイス３０の液体固着現象を軽減するために、動作可能である。
【００８７】
前述されるように、本マニホールドの弁（例えば、例えば、二方向弁４６、二方向弁５０、主段弁、隔離弁５４、および／または同等物）および／または弁アセンブリ４２は、任意の好適な構成を備えていることができる。例えば、示される実施形態では、弁アセンブリ（例えば、４２ａ）のうちの少なくとも１つは、液圧作動式主段弁（例えば、二方向弁４６および／または二方向弁５０）を備えている。しかしながら、他の実施形態では、主段弁は、例えば、空気圧式、電気的、機械的、および／または同等物等、任意の好適な方式において作動させられ得る。
【００８８】
本実施形態では、弁アセンブリ（例えば、４２ａ）のうちの少なくとも１つは、主段弁を作動させるように構成される、パイロット段弁５８を備えている。例えば、示される実施形態では、二方向弁４６および５０は、各々が液圧式で作動させられ、各々は、パイロット段弁５８を経由して提供される液圧流体と流体連通し、それを通して作動させられるように構成される。これらの実施形態では、パイロット段弁５８によって連通される液圧流体は、例えば、弁アセンブリに関連付けられる流体源（例えば、１８ａ、１８ｂ、１８ｃ、および／または同等物）および／または別個の流体源等、任意の好適な源（調整の有無を問わず）から供給されることができる。本実施形態では、マニホールド１０ａは、１つ以上のパイロット段弁５８による連通のための加圧された流体を貯蔵するように構成される、１つ以上のアキュムレータ６０を備えている。
【００８９】
主段弁（二方向弁４６および／または二方向弁５０）に関して説明されるものと同様に、パイロット段弁５８は、液圧式、空気圧式、電気的、機械的、および／または同等物で作動させられることができる。例えば、示される実施形態では、少なくとも１つのパイロット段弁５８は、電気的に作動させられるように構成される。そのような電気作動式弁は、いくつかの液圧作動式弁よりも小さい、および／またはより迅速に作動することが可能であり得る。実施例として、示される実施形態では、少なくとも１つのパイロット段弁は、弁を開放および／または閉鎖するように構成される、電気ソレノイドを備え、および／またはそれと電気通信する。パイロット段弁５８の電気ソレノイドは、（例えば、以下により詳細に説明されるような、電気コネクタおよび／または同等物を通して、バッテリから）電流（例えば、直流または交流を問わず）を電気ソレノイドに印加することによって、作動させられ得る。このように、比較的低出力の電気信号が、パイロット段弁５８を作動させるために使用され得、これは、次いで、主段弁を作動させるために、比較的高出力の液圧流体を連通させ得る。示される実施形態では、パイロット段弁５８は、（以下により詳細に説明される）圧力補償型筐体内に含まれ得る。
【００９０】
示される実施形態では、少なくとも１つの弁アセンブリ（４２ａ）は、１つ以上の隔離弁５４を備えている。本マニホールドの隔離弁は、例えば、逆止弁、ボール弁、ポペット弁、スプール弁、リード弁、一方向弁、二方向弁、および／または同等物等、任意の好適な弁を備えていることができ、液圧式（例えば、パイロット段弁５８によって連通される液圧流体を介するかどうかを問わず）、空気圧式、電気的、機械的（例えば、自動または手動で、例えば、ＲＯＶによって）、および／または同等物で作動させられ得る。本実施形態では、隔離弁５４は、各々、入口１４のうちの少なくとも１つを通した流体連通を選択的に遮断するように構成される。このように、隔離弁５４は、例えば、外部構成要素および／または海中環境から、マニホールド１０ａ、弁アセンブリ４２（例えば、４２ａ）、流体源（例えば、１８ａ、１８ｂ、１８ｃ、および／または同等物）の一部を液圧的に隔離するように作動させられることができる。例えば、マニホールド、弁アセンブリ、流体源、および／または同等物の故障または誤動作の場合に、隔離弁５４が、（例えば、望ましくない液圧流体損失および／または望ましくない液圧作動式デバイスの作動を防止するために）作動させられることができる。
【００９１】
いくつかの実施形態では、隔離弁５４のうちの少なくとも１つは、入口からの流体源（例えば、１８ａ、１８ｂ、１８ｃ、および／または同等物）の切り離し時、入口１４のうちの少なくとも１つを通した流体連通を自動的に遮断するように構成される。例えば、隔離弁５４は、入口からの流体源の切り離し時、入口を自動的に閉鎖するように構成される、クイックコネクト、クイックディスコネクト、および／またはクイックリリースコネクタまたはカプラを備えていることができる。
【００９２】
示される実施形態では、マニホールド１０ａは、モジュール式である。例えば、示されるように、マニホールド１０ａは、時として、集合的に「海中弁モジュール６２」と称される、３つの海中弁モジュール６２ａ、６２ｂ、および６２ｃを備えている。しかしながら、他の実施形態では、本マニホールドは、例えば、１個、２個、３個、４個、５個、６個、７個、８個、９個、１０個、１５個、２０個、２５個、３０個、３５個、４０個、４５個、５０個、５５個、６０個、６５個、７０個、またはそれを上回る海中弁モジュールのうちの任意の１つを上回るか、またはそれらのうちの任意の２つの間の数等、任意の好適な数の海中弁モジュールを備えていることができる。いくつかの実施形態では、本マニホールドは、マニホールドが取り外し可能海中弁モジュールを備えていない（例えば、しかし、その他の点では、マニホールド１０ａに関して説明される特徴のいくつかおよび／または全てを備え得る）限りにおいて、モジュール式ではないこともある。いくつかの実施形態では、単一の海中弁モジュール６２のみが、マニホールドとして機能することができる。
【００９３】
加えて図５Ａ−５Ｈおよび６を参照すると、本海中弁モジュールの一実施形態６２が、その中に示される。海中弁モジュール６２ａの以下の説明は、実施例として提供され、他の海中弁モジュール６２が、海中弁モジュール６２ａに関して以下に説明される特徴のいずれかおよび／または全てを備えていることも、備えていないこともある。示される実施形態では、海中弁モジュール６２ａは、各々が流体源（例えば、１８ａ）から液圧流体を受け取るように構成される、１つ以上の入口１４を備えている。本実施形態では、海中弁モジュール６２ａは、弁アセンブリ４２の動作を通して、入口１４のうちの同じ１つと同時流体連通する、少なくとも２つの出口２２を備えている。例えば、示されるように、弁アセンブリ４２ａは、出口２２ａおよび２２ｅが、入口１４ａと同時流体連通することを可能にするように構成される。このように、海中弁モジュール６６ａは、液圧作動式デバイス（例えば、出口２２ａを介する、３０）と、別の海中弁モジュール（例えば、出口２２ｅを介する、６２ｂ）との両方と流体連通して結合されるように構成される。
【００９４】
さらなる実施例として、示される実施形態では、出口２２ａは、（例えば、マニホールド１０ａに関して前述されるような）液圧作動式デバイス３０の作動ポートと流体連通するように構成され、出口２２ｅは、第２の海中弁モジュール（例えば、６２ｂ）の出口と流体連通するように構成される。例証するために、マニホールド１０ａは、第１および第２の海中弁モジュール６２ａおよび６２ｂを備え、第１の海中弁モジュール６２ａの出口２２ａは、（例えば、出口２２ｅを介して）第２の海中弁モジュール６２ｂの出口２２ｆと、（例えば、出口２２ａを介して）液圧作動式デバイスの作動ポートと同時流体連通するように構成される。
【００９５】
前述されるように、マニホールド１０ａは、第３の海中弁モジュール６２ｃを備えている。本実施形態では、第１の海中弁モジュール６２ａの出口２２ａは、（例えば、出口２２ｅを介して）第２の海中弁モジュール６２ｂの少なくとも１つの出口２２ｆと、（例えば、第２の海中弁モジュール６２ｂの出口２２ｇを介して）第３の海中弁モジュール６２ｃの少なくとも１つの出口２２ｈと、（例えば、出口２２ａを介して）液圧作動式デバイス３０の作動ポートと同時流体連通するように構成される。この方式および類似する方式では、追加の海中弁モジュールが、（例えば、追加の海中弁モジュール６２の出口２２を、マニホールド１０ａのおよび／またはマニホールド１０ａの海中弁モジュール６２の出口２２と流体連通するように置くことによって）マニホールド１０ａに追加されることができる。いくつかの実施形態では、使用されない任意の出口２２は、キャップされる、密閉される、および／または同等物を施されるか、または省略され得る。いくつかの実施形態では、使用されない任意の入口１４は、キャップされる、密閉される、および／または同等物を施されるか、または省略され得る。
【００９６】
示される実施形態では、少なくとも１つの海中弁モジュール６２は、少なくとも１つの他の海中弁モジュールに結合されるように構成される。本開示の海中弁モジュールは、例えば、留め具（例えば、ナット、ボルト、リベット、および／または同等物）、海中弁モジュールの相互係止特徴、および／または同等物等、任意の好適な構造を通して、互に結合されることができる。例えば、本実施形態では、海中弁モジュール（例えば、６２ａおよび６２ｂ、６２ｂおよび６２ｃ、および／または同等物）は、出口２２の相互係止特徴を介して、一緒に直接結合される。以下の説明では、いくつかの海中弁モジュール６２は、互に直接結合されるものとして説明されるが、他の実施形態では、海中弁モジュール６２は、例えば、（例えば、剛体および／または可撓性を問わず）ホース、チューブ、導管、および／または同等物等を用いて、任意の好適な方式において、（例えば、直接および／または間接的に）互に結合されることができる。
【００９７】
描写される実施形態では、海中弁モジュール（例えば、６２ａおよび６２ｂ、６２ｂおよび６２ｃ、および／または同等物）のうちの少なくとも２つは、海中弁モジュールのうちの少なくとも２つが一緒に結合されると、（例えば、図１Ｄにおいて破線で示される）１つ以上の導管６６を画定する。示される実施形態では、導管６６は、互に結合されると、導管を画定する海中弁モジュール間、およびそれらとの流体連通を促進するように構成される。例えば、海中弁モジュール６２ａが海中弁モジュール６２ｂに結合されると、海中弁モジュールは、（存在する場合）出口２２ａ、２２ｅ、２２ｆ、および２２ｇと流体連通する、導管６６を画定する。取り外し可能海中弁モジュールが存在しない実施形態では、導管６６は、それにもかかわらず、マニホールドによって画定されることができる（例えば、２つの海中弁モジュールの結合によって画定されることを除いて、その他の点では、同一または類似する構造を備えている）。
【００９８】
導管６６は、例えば、円形、楕円形、および／または別様に丸形の断面、三角形、正方形、ならびに／もしくは別様に多角形の断面、および／または同等物を有するもの等、任意の好適な形状を備えていることができる。本実施形態では、導管６６は、各々、互に結合されると、導管を画定する海中弁モジュール内の実質的に整列された通路によって画定されるが、他の実施形態では、導管は、不整列、非平行、および／または同等物である海中弁モジュール内の通路によって画定され得る。本実施形態では、導管６６の各々は、液圧流体を、液圧作動式デバイス（例えば、３０）のそれぞれの作動ポートに連通させるように構成される。
【００９９】
マニホールド１０ａおよび海中弁モジュール６２ａ、６２ｂ、６２ｃ、および／または同等物のモジュール状態に部分的に起因して、マニホールド１０ａは、追加および／または除去される冗長性（例えば、液圧冗長性、電気冗長性、および／または同等物を問わず）を有するように構成される。例えば、本実施形態では、少なくとも２つから全てまでの海中弁モジュール６２は、それぞれの流体源から液圧流体を受け取るように構成される（例えば、流体源１８ａから海中弁モジュール６２ａ、流体源１８ｂから海中弁モジュール６２ｂ、流体源１８ｃから海中弁モジュール６２ｃ、および／または同等物）。例えば、液圧流体を噴出防止装置の液圧作動式デバイス（例えば、３０）に提供する本方法のいくつかの実施形態は、第１の海中弁モジュール（例えば、６２ａ）の第１の出口（例えば、２２ａ）を、液圧作動式デバイスの作動ポートに結合することと、第２の海中弁モジュール（例えば、６２ｂ）の第１の出口（例えば、２２ｆ）を、第１の海中弁モジュールの第２の出口（例えば、２２ｅ）に結合することであって、各海中弁モジュールは、流体源（例えば、１８ａ、１８ｂ、１８ｃ、および／または同等物）から液圧流体を受け取るように構成され、入口と、出口の各々との間の同時流体連通を可能にするように構成される、入口（例えば、海中弁モジュール６２ａの入口１４ａおよび海中弁モジュール６２ｂの入口１４ｂ）を有する、こととを含む。いくつかの実施形態は、第３の海中弁モジュール（例えば、６２ｃ）の第１の出口（例えば、２２ｈ）を、第２の海中弁モジュールの第２の出口（例えば、２２ｇ）に結合することを含む。いくつかの実施形態は、各海中弁モジュールに対して、それぞれの流体源を入口に結合する（例えば、流体源１８ａは入口１４ａに結合され、流体源１８ｂは入口１４ｂに結合され、流体源１８ｃは入口１４ｃに結合される）ことを含む。
【０１００】
示される実施形態では、マニホールド１０ａおよび／または海中弁モジュール６２ａ、６２ｂ、ならびに／もしくは６２ｃは、遠隔動作式水中車両（ＲＯＶ）による操作によって、噴出防止装置から（例えば、部分的または全体的を問わず）取り外し可能に構成される。いくつかの実施形態では、マニホールド（例えば、１０ａ）および／または海中弁モジュール（例えば、６２ａ、６２ｂ、６２ｃ、および／または同等物）は、例えば、液圧コネクタ（例えば、スタブおよび／または同等物）、電気コネクタ（例えば、誘導結合器および／または同等物）、および／またはインターフェース（例えば、パネルおよび／または同等物）等、ＲＯＶアクセスデバイスを備えている。いくつかの実施形態では、マニホールド（例えば、１０ａ）および／または海中弁モジュール（例えば、６２ａ、６２ｂ、６２ｃ、および／または同等物）は、ウィンチおよび／または同等物の動作によって噴出防止装置から取り外し可能であるように構成される。
【０１０１】
いくつかの実施形態では、マニホールド（例えば、１０ａ）および／または海中弁モジュール（例えば、６２ａ、６２ｂ、６２ｃ、および／または同等物）は、最低交換可能単位（ＬＲＵ）として構成される。例えば、本実施形態では、海中弁モジュール６２ａ、６２ｂ、および６２ｃは、修復ではなく交換されるように構成される。例えば、いくつかの実施形態では、弁アセンブリ４２内の弁等、海中弁モジュールの構成要素は、構成要素および／または海中弁モジュールに損傷を与えることなく、海中弁モジュールから容易に除去されることができない。いくつかの実施形態では、海中弁モジュール６２は、例えば、不正開封防止シール、ロック、タグ、塗料、および／または同等物等、不正開封防止特徴を備え得る。
【０１０２】
本実施形態では、海中弁モジュール６２ａ、６２ｂ、および６２ｃは、マニホールド１０ａの形成部として描写されるが、このおよび他の実施形態では、本開示の海中弁モジュールおよび／またはマニホールドは、噴出防止装置スタック上の種々の場所にわたって（例えば、空間的に）分散されることができる（例えば、各々は、噴出防止装置スタックの複数の液圧作動式デバイスのうちの１つ以上のものと流体連通することができる）。このように、本マニホールドおよび／または海中弁モジュールは、大型多ポートスタブおよび関連するホースおよび接続の必要性なく、多数の機能を制御することができる。
【０１０３】
示される実施形態では、マニホールド１０ａは、各々が少なくとも１つの弁アセンブリ４２と電気通信する１つ以上の電気コネクタ７４を備えている。本マニホールドおよび／または海中弁モジュールの電気コネクタは、（例えば、ドライおよび／またはウェットメート型を問わず）任意の好適なコネクタを備えていることができる。例えば、本実施形態では、少なくとも１つの電気コネクタ７４は、ウェットメート型誘導結合器を備えている。
【０１０４】
電気コネクタ７４は、海上から提供されるか、および／またはローマリンライザーパッケージ等、別の海中構成要素に結合されるかどうかを問わず、例えば、テザー、補助ケーブル、および／または同等物等、任意の好適な構造に電気的に結合するように構成されることができる。いくつかの実施形態では、電気コネクタ７４は、（例えば、コネクタブロックとコネクタとの間にテザー、補助ケーブル、および／または同等物を要求することなく）海中構造（例えば、ローマリンライザーパッケージおよび／または噴出防止装置）に結合される剛体コネクタブロックに電気的に結合するように構成されることができる。このように、いくつかの実施形態では、ケーブル、テザー、導管、および／または同等物の数は、最小限にされることができ、これは、信頼性および／または耐故障性を向上させ得る。
【０１０５】
示される実施形態では、マニホールド１０ａは、電力および／または制御信号を、弁アセンブリ４２のうちの少なくとも１つに、および／またはそれから伝えるように構成される、制御回路７８ａを備えている。例えば、本実施形態では、制御回路７８ａは、（例えば、制御回路７８ａが有線接続を介して電力および／または制御信号を伝え得るように）電気コネクタ７４と電気通信し、それを通して電力および／または制御信号を伝えるように構成される。本マニホールドおよび／または海中弁モジュールの制御回路は、任意の好適な構成要素から、任意の好適な構成要素に電力および／または制御信号を伝えるように構成されることができる。例えば、海中弁モジュール６２ａの制御回路７８ａは、例えば、弁アセンブリ４２ａ、プロセッサ８６、および／または同等物等、海中弁モジュール６２ａの構成要素間、海中弁モジュール６２ａと、他のマニホールドおよび／または海中弁モジュールならびに／もしくはその構成要素との間、海中弁モジュール６２ａと、他の構成要素（例えば、噴出防止装置、ローマリンライザーパッケージ、ユーザインターフェース、ＲＯＶ、および／または同等物）との間に、電力および／または制御信号を伝えるように構成される。本マニホールドのいくつかの実施形態との使用のために好適な制御および／または電力ならびに／もしくはデータ通信システムの実施例が、本出願と同日に提出され、「ＢＬＯＷＯＵＴ  ＰＲＥＶＥＮＴＥＲ  ＣＯＮＴＲＯＬ  ＡＮＤ／ＯＲ  ＰＯＷＥＲ  ＡＮＤ／ＯＲ  ＤＡＴＡ  ＣＯＭＭＵＮＩＣＡＴＩＯＮ  ＳＹＳＴＥＭＳ  ＡＮＤ  ＲＥＬＡＴＥＤ  ＭＥＴＨＯＤＳ」と題された、係属中の米国特許出願に開示され、その全体が、参照することによって本明細書に組み込まれる。
【０１０６】
いくつかの実施形態では、制御回路７８ａの少なくとも一部は、筐体８２内に配置される。本実施形態では、筐体８２は、（例えば、およそ１気圧（ａｔｍ）の内圧を有するように構成される）大気圧容器を備えている。このように、筐体８２は、海中環境から、海中環境によって悪影響を受け得る、制御回路７８ａおよび／または他の構成要素（例えば、パイロット段弁５８、プロセッサ８６、メモリ９０、および／または同等物）の少なくとも一部を保護するように機能することができる（例えば、筐体８２は、最大５，０００ｐｓｉｇ以上の周囲圧力に耐えるように構成される）。いくつかの実施形態では、筐体８２またはその一部は、流体充填される（例えば、誘電物質および／または同等物等、非導電性物質で充填される）ことができる。いくつかの実施形態では、筐体８２（またはその一部）は、圧力補償され、例えば、（例えば、５〜７ｐｓｉｇ以上の）海中環境内の圧力以上の内圧を有し得る。
【０１０７】
示される実施形態では、マニホールド１０ａは、（以下により詳細に説明される）弁アセンブリ４２の作動を制御および／または監視するように構成される、プロセッサ８６を備えている。いくつかの実施形態では、プロセッサ８６は、プロセッサを備えているマニホールドおよび／または海中弁モジュールの外部の構成要素と通信するように（例えば、加えて）構成される。例えば、いくつかの実施形態では、プロセッサ８６は、ユーザインターフェース、噴出防止装置、ローマリンライザーパッケージ、ＲＯＶ、外部マニホールドおよび／または海中弁モジュール、ならびに／もしくは同等物に、またはそれらから、コマンドおよび／または情報を伝送ならびに／もしくは受信するように構成される。例証として、プロセッサ８６は、例えば、（例えば、ピークホールド方法論の一部として）電気作動式パイロット弁５８に印加される電流の量を減少させるために、１つ以上の隔離弁５４および／または同等物を作動させるために、および／または同等物のためにユーザインターフェースからコマンドを受信することができる。
【０１０８】
プロセッサ８６によって伝送および／または受信される情報は、含まれるものに限定されないが、環境情報（例えば、センサ９４によって捕捉されることも、されないこともある、プロセッサを備えているマニホールドおよび／または海中弁モジュール内、ならびに／もしくは別のマニホールドおよび／または海中弁モジュール内、海中環境内、海上環境内、ならびに／もしくは同等物のいずれかの圧力、温度、および／または同等物）、構成要素（例えば、弁、液圧作動式デバイス、および／または同等物）の状態に関する情報（例えば、開放、閉鎖、正常動作、誤動作、および／または同等物）、および／または同等物を含むことができる。
【０１０９】
いくつかの実施形態では、コマンドおよび／または情報は、プロセッサによってパッケージおよび／またはアンパッケージされ得る（例えば、情報および／またはコマンドは、メタデータ中にパッケージされる、および／またはメタデータは、情報ならびに／もしくはコマンド中にアンパッケージされる）（例えば、記述メタデータ）。このように、プロセッサ８６は、（例えば、そのような通信のために要求されるバンド幅を減少することによって）制御回路７８ａ、外部ネットワーク、および／または同等物上のそのような通信の影響を最小限にしながら、コマンドおよび／または情報を送信ならびに／もしくは受信することができる。しかしながら、他の実施形態では、プロセッサ８６は、アンパッケージ形式の（例えば、未加工データとしての）コマンドおよび／または情報の少なくとも一部を送信ならびに／もしくは受信し得る。
【０１１０】
いくつかの実施形態では、コマンドおよび／または情報は、リアルタイムでプロセッサ８６に、および／またはそれから伝送され得る。いくつかの実施形態では、コマンドおよび／または情報は、周期的に（例えば、プロセッサ８６が、以下により詳細に説明される、メモリ９０内に情報および／またはコマンドを記憶するように構成され得る間の、事前決定され得る時間間隔で）プロセッサ８６に、および／またはそれから伝送され得る。
【０１１１】
前述されるように、示される実施形態では、プロセッサ８６は、弁アセンブリ４２の作動を制御するように構成される。そのような制御は、（例えば、受信されたコマンドおよび／または以下により詳細に説明される、メモリ９０内に記憶されたコマンドを実行する）開ループおよび／または（例えば、以下により詳細に説明される、センサ９４から受信されたデータに少なくとも部分的に基づいて、弁アセンブリ４２の作動を制御する）閉ループであり得る。
【０１１２】
例えば、本実施形態では、マニホールド１０ａは、液圧流体圧力、温度、流量、および／または同等物のうちの少なくとも１つを示すデータを捕捉するように構成される、１つ以上のセンサ９４を備えている。本マニホールドのセンサは、プロセッサ、海中弁モジュール、マニホールド、および／または同等物の外部ならびに／もしくは内部を問わず、仮想および／または物理的を問わず、例えば、温度センサ（サーモカップル、抵抗温度検出器（ＲＴＤ）、および／または同等物）、圧力センサ（例えば、圧電式圧力センサ、歪みゲージ、および／または同等物）、位置センサ（例えば、ホール効果センサ、線形可変差動変圧器、電位差計、および／または同等物）、速度センサ（例えば、観察ベースセンサ、加速度計ベースセンサ、および／または同等物）、加速度センサ、フローセンサ、電流センサ、および／または同等物等、任意の好適なセンサを備えていることができる。
【０１１３】
描写される実施形態では、プロセッサ８６は、（例えば、海中弁モジュールの弁アセンブリが、プロセッサおよび／または別の海中弁モジュールの弁アセンブリを備えているかどうかを問わず）センサ９４によって捕捉されるデータに少なくとも部分的に基づいて、弁アセンブリ４２の作動を制御するように構成される。このように、マニホールド１０ａは、少なくとも部分的に自律的に機能することができ、これは、信頼性、可用性、耐故障性、および／または同等物を改善し得る。
【０１１４】
例証するために、噴出防止装置の液圧作動式デバイス（例えば、３０）と、流体源（例えば、１８ａ、１８ｂ、１８ｃ、および／または同等物）との間の液圧流体フローを制御する本方法のいくつかは、プロセッサ（例えば、８６）を用いて、マニホールドの入口（例えば、１４）を通る流量を示す第１のデータセットを監視することであって、第１のデータセットは、第１のセンサ（例えば、９４）によって捕捉され、マニホールドは、流体源と、液圧作動式デバイスとの間で、それらと流体連通する、ことと、プロセッサを用いて、マニホールドの出口（例えば、２２）を通る流量を示す第２のデータセットを監視することであって、第２のデータセットは、第２のセンサ（例えば、９４）によって捕捉される、ことと、マニホールド内の液圧流体損失量を決定するために、プロセッサを用いて、第１のデータセットおよび第２のデータセットを比較することと、液圧流体損失量が閾値を超える場合、マニホールドの少なくとも一部を通した流体連通を遮断するために、マニホールドの隔離弁（例えば、５４）を作動させることとを含む。
【０１１５】
示される実施形態では、前述されるものを含め、制御および／または処理アルゴリズムが、（例えば、コードおよび／または命令として）メモリ９０内に記憶されることができる。本マニホールドおよび／または海中弁モジュールのメモリは、例えば、ランダムアクセスメモリ（ＲＡＭ）、電気的消去可能プログラマブル読み取り専用メモリ（ＥＥＰＲＯＭ）、読み取り専用メモリ（ＲＯＭ）、ハードディスクドライブ（ＨＤＤ）、ソリッドステートドライブ（ＳＳＤ）、フラッシュメモリ、および／または同等物等、任意の好適なメモリを備えていることができる。
【０１１６】
図７は、本マニホールドの第２の実施形態１０ｂの図を描写する。マニホールド１０ｂは、マニホールド１０ａに実質的に類似し、主要な差異は、以下に説明される。例えば、本実施形態では、弁アセンブリ（例えば、４２ｄ）は、入口（例えば、１４ａ）のうちの少なくとも１つから、出口（例えば、２２ａ）のうちの少なくとも１つへの流体連通を選択的に可能にし、出口（例えば、２２ａ）のうちの少なくとも１つからリザーバおよび海中環境のうちの少なくとも１つに、（例えば、ベント３４を介して）液圧流体を選択的に迂回させるように構成される、三方向弁９８を備えている。
【０１１７】
示される実施形態では、海中弁モジュール６２（例えば、６２ｂ、６２ｃ、６２ｄ、および／または同等物）のうちの少なくとも１つは、出口２２のうちの少なくとも１つを通した流体連通を選択的に遮断するように構成される１つ以上の隔離弁７０を備えている（例えば、隔離弁５４に関して前述されるものと同様に、いくつかの実施形態の隔離弁７０は、隔離弁５４に関して前述される特徴のいずれかおよび／または全てを所有する）。例えば、本実施形態では、海中弁モジュール６２ｄの弁アセンブリ４２ｄは、出口２２ａを通した流体連通を選択的に遮断するように構成される、隔離弁７０と、出口２２ｅを通した流体連通を選択的に遮断するように構成される、隔離弁７０とを備えている。
【０１１８】
示される実施形態では、少なくとも１つの海中弁モジュールおよび／またはマニホールドは、液圧作動式デバイスからの海中弁モジュールおよび／またはマニホールドの切り離し時、ならびに／もしくは海中弁モジュールおよび／またはマニホールドからの別の海中弁モジュールの切り離しに応じて（例えば、３０から１０ｂの、６２ｄから６２ｂの、６２ｂから６２ｃの、および／または同等物の切り離し）、（例えば、隔離弁５４に関して前述されるものと同様に、出口２２を自動的に閉鎖するように構成される、クイックコネクト、クイックディスコネクト、および／またはクイックリリースコネクタまたはカプラを備えている、隔離弁７０を介して）少なくとも１つの出口２２を通した流体連通を自動的に遮断するように構成される、隔離弁（例えば、７０）を備えている。このように、マニホールド（例えば、および／または１つ以上の海中弁モジュール）中および／または切り離された海中弁モジュール中への海水の流体連通は、完全に制限または防止されることができる。そのような隔離弁に部分的に起因して、本マニホールドおよび／または海中弁モジュールは、（例えば、液圧作動式デバイス３０の動作を中断することなく、追加、除去、および／または交換される、海中弁モジュール等の構成要素と）ホットスワップ可能に構成されることができる。
【０１１９】
例えば、マニホールド（例えば、１０ｂ）から海中弁モジュール（例えば、６２ｂ）を除去する本方法のいくつかの実施形態では、マニホールドは、噴出防止装置の液圧作動式デバイス（例えば、３０）に結合され、それと流体連通し、海中弁モジュールは、マニホールドに結合され、それと流体連通し、マニホールドから海中弁モジュールを切り離すことと、マニホールドおよび／または海中弁モジュールの１つ以上の隔離弁（例えば、７０）を作動させ、（例えば、出口２２ｅを通した）マニホールドおよび／または海中弁モジュールの少なくとも一部中への海水の流体連通を遮断することとを含む。いくつかの実施形態では、隔離弁のうちの少なくとも１つは、マニホールドからの海中弁モジュールの切り離し時、自動的に作動する。いくつかの実施形態では、隔離弁のうちの少なくとも１つを作動させることは、（例えば、電気コネクタ７４を介する、制御回路７８ｂを通した、プロセッサ８６からの、バッテリ１７８を介しての、および／または同等物の、例えば、電力および／またはコマンド信号を問わず）少なくとも１つの隔離弁に電気信号を伝えることを含む。
【０１２０】
本実施形態では、弁アセンブリ４２（例えば、４２ｄ）は、調整器１０２を備えている。本マニホールドおよび／または海中弁モジュールの調整器は、例えば、せん断密封、多段階、比例、および／または同等物の調整器等、任意の好適な調整器を備えていることができる。
【０１２１】
示されるように、本実施形態では、弁アセンブリ４２（例えば、４２ｄ）は、１つ以上の逃し弁１１０を備えている。描写される実施形態では、逃し弁１１０は、液圧作動式デバイス３０、マニホールド１０ｂ、海中弁モジュール６２、弁アセンブリ４２、および／または同等物内の過剰な圧力を緩和ならびに／もしくは防止するように構成される（例えば、ベント３４と流体連通するドレインを備え得る）。示される実施形態では、弁アセンブリ４２（例えば、４２ｄ）は、１つ以上の逆止弁１１４を備えている。そのような逆止弁は、液圧作動式デバイス３０、マニホールド１０ｂ、海中弁モジュール６２、弁アセンブリ４２、および／または同等物内の液圧流体フロー（例えば、その方向性）を制御するように構成されることができる。
【０１２２】
示される実施形態では、弁アセンブリ４２（例えば、４２ｄ）は、（例えば、パイロット段弁と、対応する主段弁とを含む）少なくとも１つの統合弁１２２を備えている。いくつかの実施形態では、統合弁は、（例えば、パイロット段弁および主段弁が、例えば、共通の筐体を共有する等、少なくとも部分的に一体型であるように）パイロット段弁が主段弁と共通する少なくとも１つの構成要素を備えているという点で統合され得る。しかしながら、他の実施形態では、パイロット段弁および対応する主段弁は、別個の構成要素であり得るが、それにもかかわらず、パイロット段弁が、（例えば、留め具、パイロット段弁および主段弁の相互係止特徴、コネクタ、および／または同等物を通して）主段弁に直接結合されるという点では統合され得る。統合弁１２２は、パイロット段弁と主段弁との間にそうでなければ要求され得る、チュービング、導管、配管、および／または同等物の量を減少させる、および／またはそれらを排除し得る。このように、統合弁１２２は、漏出のリスクを低減させるだけではなく、全般的な複雑性、空間要件、重量、および／またはコストを減少させ得る。
【０１２３】
示される実施形態では、少なくとも１つの弁アセンブリ４２は、双安定弁１２６（例えば、双安定性電気作動式パイロット段弁１２６）を備えている。本マニホールドの双安定弁は、それらが電力を消費することなく、２つの安定（例えば、開放および閉鎖）状態のうちの１つに留まるように構成されるという点で、双安定性であり得る。例えば、双安定弁１２６は、電力入力が、双安定弁を２つの状態間で変更させる（例えば、開放から閉鎖、閉鎖から開放、および／または同等物）ように構成されるが、弁をいずれかの状態（例えば、開放または閉鎖）に維持するために、電力入力が要求されないこともある。このように、本マニホールドの双安定弁は、動作電力要件を減少させ得る。
【０１２４】
双安定弁１２６の以下の説明は、限定としてではなく、実施例として提供される。図８Ａおよび８Ｂに示されるように、双安定弁１２６は、入口１３０と、出口１３４と、２つ以上の電磁石（例えば、本実施形態では、２つの対向するソレノイドまたはコイル、１４２および１４６）の間に配置される強磁性コア１３８とを備えている。描写される実施形態では、強磁性コア１３８は、入口および／または出口に対する強磁性コアの位置に応じて、入口１３０から出口１３４への流体連通を制御するように構成される。例えば、強磁性コア１３８が第１の位置にあるとき（図８Ａ）、入口１３０と、出口１３４との間の流体連通は、許可され、強磁性コアが第２の位置にあるとき（図８Ｂ）、入口１３０と、出口１３４との間の流体連通は、遮断される。
【０１２５】
例えば、動作中、ソレノイドまたはコイル１４２は、（例えば、電気的に）給電され得、結果として生じる磁場が、弁１２６が開放するように、強磁性コア１３８を、ソレノイドまたはコイル１４２に向かって引き付けさせ得る（図８Ａ）。さらなる実施例として、ソレノイドまたはコイル１４６は、（例えば、電気的に）給電され得、結果として生じる磁場が、弁１２６が閉鎖するように、強磁性コア１３８を、ソレノイドまたはコイル１４６に向かって引き付けさせ得る（図８Ｂ）。本実施形態では、ソレノイドまたはコイル１４２および／または１４６が給電されていないとき、強磁性コア１３８は、静止したままであり得る（例えば、また、強磁性コアおよび／または直近のソレノイドもしくはコイル内に誘発される磁性によって、定位置に保持され得る）。いくつかの実施形態では、１つ以上の永久磁石１５０が、強磁性コアを所与の状態に維持することを促進する（例えば、しかし、強磁性コアに対して、ソレノイドまたはコイル１４２もしくは１４６に給電することによって克服され得る磁力を加える）ように構成され得る。
【０１２６】
図９は、時間（ｔ）にわたる、双安定弁１２６の状態（開放１または閉鎖０）対各ソレノイドまたはコイル１４２および１４６に印加される電力（ｐ１およびｐ２は、それぞれ、給電状態１、非給電状態０）の実施例を描写する。示されるように、第１の時間間隔１５４中、電力（ｐ１）が、弁１２６を開放状態に移行させるために、ソレノイドまたはコイル１４２に印加され得る。第２の時間間隔１５８中、示されるように、弁１２６は、ソレノイドもしくはコイル１４２またはソレノイドもしくはコイル１４６のいずれかへの電力（ｐ１および／またはｐ２）の印加がなく、開放状態のままである（例えば、弁は、第１の安定状態のままである）。本実施例では、第３の時間間隔１６２中、電力（ｐ２）が、弁１２６を閉鎖状態に移行させるために、ソレノイドまたはコイル１４６に印加され得る。第４の時間間隔１６６中、示されるように、弁１２６は、ソレノイドもしくはコイル１４２またはソレノイドもしくはコイル１４６のいずれかへの電力（ｐ１および／またはｐ２）の印加がなく、閉鎖状態のままである（例えば、弁は、第２の安定状態のままである）。したがって、ソレノイドもしくはコイル１４２またはソレノイドもしくはコイル１４６のいずれかへの電力の印加は、弁１２６を、開放および閉鎖状態間で移行させ得るが、電力の印加は、弁を所与の状態に維持するためには要求されない。例えば、第５の時間間隔１７０では、電力（ｐ１）が、弁１２６を開放状態に移行させるために、ソレノイドまたはコイル１４２に印加され得、第６の時間間隔１７４中、弁１２６は、ソレノイドもしくはコイル１４２またはソレノイドもしくはコイル１４６のいずれかへの電力の印加がなく、開放状態のままであり得る。
【０１２７】
示される実施形態では、マニホールド１０ｂは、１つ以上のバッテリ１７８を備えている。本マニホールドのバッテリは、例えば、リチウムイオン、ニッケル金属水素化物、ニッケルカドミウム、鉛、および／または同等物のバッテリ等、任意の好適なバッテリを備えていることができる。示されるように、バッテリ１７８は、弁アセンブリ４２（例えば、４２ｄ）と電気通信する。例えば、バッテリ１７８は、（例えば、主段弁、パイロット段弁５８、隔離弁７０、および／または同等物を作動させるために）弁アセンブリ４２ｄに電力を提供するように構成されることができる。いくつかの実施形態では、バッテリ１７８は、制御回路（例えば、７８ａ、７８ｂ）、プロセッサ８６、メモリ９０、センサ９４、他の制御構成要素、および／または同等物に電力を提供するように構成されることができる。このように、本マニホールドおよび／または海中弁モジュールのいくつかの実施形態は、複数の（例えば、冗長）源から電力（例えば、電気コネクタ７４を介して提供される電力およびバッテリ１７８によって提供される電力）を受信するように構成されることができ、これは、信頼性および／または耐故障性を向上させ得る。いくつかの実施形態では、バッテリ１７８は、筐体８２内に配置されることができる。
【０１２８】
示される実施形態では、制御回路７８ｂは、制御信号（例えば、音響、光学、液圧、電磁（例えば、無線）、および／または同等物の制御信号）を受信するように構成される、無線受信機１８２を備えている。本実施形態では、筐体８２の少なくとも一部は、複合材料（例えば、強化プラスチック、セラミック複合体、および／または同等物）を備えている。このように、筐体８２は、制御回路７８ｂからの制御信号の受信および／または伝送を促進するように構成されることができる。
【０１２９】
本マニホールドのいくつかの実施形態は、複数のマニホールドおよび／または海中弁モジュールを備えている（例えば、「マニホールドアセンブリ」）。例えば、いくつかの実施形態では、マニホールドアセンブリの少なくとも２つのマニホールドおよび／または海中弁モジュールは、１つ以上のドライメート型電気コネクタを介して互に電気通信する。このように、本マニホールドアセンブリのいくつかの実施形態は、要求されるウェットメート型電気コネクタの数を最小化することができる。例えば、マニホールドアセンブリは、海上で組み立てられ、噴出防止装置まで下げられることができ、マニホールドアセンブリのウェットメート型コネクタは、ウェットメート型コネクタを介する電力源、噴出防止装置もしくはその構成要素、他の構成要素、および／または同等物と電気通信するように置かれることができる。
【０１３０】
前述の明細書および実施例は、例証的実施形態の構造および使用の完全な説明を提供する。ある実施形態が、ある程度詳細に、または１つ以上の個々の実施形態を参照して、前述されたが、当業者は、本発明の範囲から逸脱することなく、開示される実施形態に多数の改変を行い得る。したがって、本方法およびシステムの種々の例証的実施形態は、開示される特定の形態に限定されることを意図するものではない。むしろ、それらは、請求項の範囲内にある全ての修正および代替を含み、示されるもの以外の実施形態は、描写される実施形態の特徴の一部または全部を含み得る。例えば、要素は、省略されるか、または一体型構造として組み合わせられ、および／または接続は、代用され得る。さらに、必要に応じて、前述される実施例のいずれかの側面は、説明される他の実施例のいずれかの側面と組み合わせられ、同等または異なる特性および／または機能を有し、同一または異なる問題に対処する、さらなる実施例を形成し得る。同様に、前述の利益および利点は、一実施形態に関し得るか、またはいくつかの実施形態に関し得ることを理解されたい。
【０１３１】
（例証的実施形態の代替または追加の説明）
本開示の１つ以上の実施形態の特徴の以下の代替または追加の説明は、部分的および／または全体的に、前述される説明のいくつかに加えて、および／または代わって使用され得る。
【０１３２】
本装置のいくつかの実施形態は、海底に位置する噴出防止装置に結合される液圧デバイスであって、海底において噴出防止装置に結合される、液圧デバイスと、第１の弁および第２の弁を含む弁モジュールであって、海底において液圧デバイスの液圧アクチュエータと、噴出防止装置とに結合され、第１の弁は、第２の弁を制御し、第２の弁は、噴出防止装置に結合される液圧デバイスの液圧アクチュエータを作動する、弁モジュールとを備えている。
【０１３３】
いくつかの実施形態では、第１の弁は、電気式弁、液圧式弁、および空気圧式弁のうちの少なくとも１つを備え、第２の弁は、液圧式および空気圧式弁のうちの少なくとも１つを備えている。いくつかの実施形態では、第１の弁は、電気ソレノイドを備え、電気ソレノイドは、誘導的に作動させられる。いくつかの実施形態では、第１の弁は、第２の弁に堅く結合される。
【０１３４】
いくつかの実施形態では、弁モジュールは、液圧アクチュエータおよび噴出防止装置から切り離されることが可能である。いくつかの実施形態では、弁モジュールは、１００気圧を超える圧力に耐えることが可能である。いくつかの実施形態では、弁モジュールは、ＢＯＰに関連付けられる圧力を調整するための、圧力調整弁を備えている。
【０１３５】
いくつかの実施形態では、液圧デバイスは、ラム、環状空間、コネクタ、およびフェイルセーフ弁機能のうちの少なくとも１つを備えている。
【０１３６】
本装置のいくつかの実施形態は、海底に位置する噴出防止装置に結合される液圧デバイスであって、海底において噴出防止装置に結合される、液圧デバイスと、少なくとも第１の安定状態および第２の安定状態を有する液圧弁であって、第１の電流が、強磁性コアを第２の状態から第１の状態に移行させるために、液圧弁に印加され、液圧弁への第１の電流の印加の停止に応じて、強磁性コアは、第１の状態のままであり、液圧弁は、液圧デバイスの液圧アクチュエータに結合され、強磁性コアが第１の状態にあるとき、液圧アクチュエータを作動させる、液圧弁とを備えている。
【０１３７】
いくつかの実施形態では、第１の電流を液圧弁に印加することは、第１の電流を液圧弁の第１のソレノイドに印加することを含む。いくつかの実施形態では、第２の電流は、強磁性コアを第１の状態から第２の状態に移行させるために、液圧弁に印加され、液圧弁への第２の電流の印加の停止に応じて、強磁性コアは、第２の状態のままである。いくつかの実施形態では、第２の電流を液圧弁に印加することは、第２の電流を液圧弁の第２のソレノイドに印加することを含む。
【０１３８】
いくつかの実施形態では、液圧デバイスは、ラム、環状空間、コネクタ、およびフェイルセーフ弁機能のうちの少なくとも１つを備えている。
【０１３９】
本装置のいくつかの実施形態は、海底に位置する噴出防止装置に結合される液圧デバイスであって、海底において噴出防止装置に結合される、液圧デバイスと、液圧弁およびプロセッサを備えている弁モジュールであって、海底において液圧デバイスの液圧アクチュエータと、噴出防止装置とに結合され、液圧弁は、作動させられると、液圧アクチュエータを作動し、プロセッサは、液圧弁を作動させるために使用される電流の量を制御すること、外部構成要素またはユーザインターフェースと通信すること、液圧弁または液圧弁に結合される構成要素の性能を測定すること、および測定された性能に少なくとも部分的に基づいて、液圧弁の動作を調節することのうちの少なくとも１つを行うように構成される、弁モジュールとを備えている。
【０１４０】
いくつかの実施形態は、噴出防止装置、液圧デバイス、液圧アクチュエータ、および液圧弁のうちの少なくとも１つに結合される、複数のセンサを備え、複数のセンサは、噴出防止装置、液圧デバイス、液圧アクチュエータ、および液圧弁のうちの少なくとも１つに関連付けられる動作変動を感知し、プロセッサに情報を伝送するように構成される。
【０１４１】
いくつかの実施形態では、弁モジュールは、ＢＯＰに関連付けられる圧力を調整するための、圧力調整弁を備えている。いくつかの実施形態では、弁モジュールは、液圧アクチュエータおよびＢＯＰから取り外し可能である。いくつかの実施形態では、弁モジュールは、１００気圧を超える圧力に耐えるように構成される。
【０１４２】
いくつかの実施形態では、液圧デバイスは、ラム、環状空間、コネクタ、およびフェイルセーフ弁機能のうちの少なくとも１つを備えている。
【０１４３】
＊  ＊  ＊
手段を加えた、またはステップを加えた機能制限が、各々、「〜するための手段」または「〜するためのステップ」という語句を使用する所与の請求項において明示的に記載されない限り、請求項は、そのような制限を含むことを意図しておらず、かつ含むと解釈されるべきではない。
【図１Ａ】
0006527858.tif 000002
【図１Ｂ】
0006527858.tif 000003
【図１Ｃ】
0006527858.tif 000004
【図１Ｄ】
0006527858.tif 000005
【図１Ｅ】
0006527858.tif 000006
【図１Ｆ】
0006527858.tif 000007
【図１Ｇ】
0006527858.tif 000008
【図１Ｈ】
0006527858.tif 000009
【図２Ａ】
0006527858.tif 000010
【図２Ｂ】
0006527858.tif 000011
【図２Ｃ】
0006527858.tif 000012
【図３Ａ】
0006527858.tif 000013
【図３Ｂ】
0006527858.tif 000014
【図４Ａ】
0006527858.tif 000015
【図４Ｂ】
0006527858.tif 000016
【図５Ａ】
0006527858.tif 000017
【図５Ｂ】
0006527858.tif 000018
【図５Ｃ】
0006527858.tif 000019
【図５Ｄ】
0006527858.tif 000020
【図５Ｅ】
0006527858.tif 000021
【図５Ｆ】
0006527858.tif 000022
【図５Ｇ】
0006527858.tif 000023
【図５Ｈ】
0006527858.tif 000024
【図６】
0006527858.tif 000025
【図７】
0006527858.tif 000026
【図８Ａ】
0006527858.tif 000027
【図８Ｂ】
0006527858.tif 000028
【図９】
0006527858.tif 000029